(57)【要約】      （修正有）【課題】複数の移動局に対する効果的なシグナリングの技術を提供する。【解決手段】複数のシンボルストリームを受信し、複数のカバーされたストリームを形成するためにシンボルストリームの各々をパターン反復を備える複数のカバリング系列のうちの１つによって符号化する第１のアダマール符号器と、第１の符号分割多重（ＣＤＭ）信号を形成するために、前記複数のカバーされたストリームの全てより少なく加算する加算器と、第１のカバーされたＣＤＭ信号を形成するために、前記第１のＣＤＭ信号をＩ及びＱウォルシュカバリング系列によってカバーする第２の符号器とを備える。【選択図】図８
2011010308.tif 000002
【特許請求の範囲】
【請求項１】
複数のシンボルストリームを受信し、複数のカバーされた系列を形成するために前記シンボルストリームの各々を複数のカバリング系列のうちの１つによって符号化する第１の符号器と、
第１の符号分割多重（ＣＤＭ）信号を形成するために、前記複数のカバーされた系列を加算する加算器と、
第１のカバーされたＣＤＭ信号を形成するために、前記第１のＣＤＭ信号をカバリング系列によってカバーする第２の符号器と、を備える装置。
【請求項２】
複数の利得値を受信し、前記複数のカバーされた系列に、前記加算器への送出前に、前記複数の利得値をそれぞれ乗算する１以上のチャネル利得ブロックをさらに備える、請求項１に記載の装置。
【請求項３】
前記第１の符号器は１以上のアダマール符号器を備える、請求項１に記載の装置。
【請求項４】
前記第１のカバーされたＣＤＭ信号と１以上のさらなるカバーされた信号とを受信し、結合されたＣＤＭ信号を形成するために、前記第１のカバーされたＣＤＭ信号と前記１以上のさらなるカバーされた信号とを結合し、前記結合されたＣＤＭ信号を遠隔局に送信する送信機をさらに備える、請求項１に記載の装置。
【請求項５】
第２の複数のシンボルストリームを受信し、第２の複数のカバーされた系列を形成するために前記シンボルストリームの各々を前記複数のカバリング系列によって符号化する第３の符号器と、
第２の符号分割多重（ＣＤＭ）信号を形成するために前記第２の複数のカバーされた系列を加算する第２の加算器と、
第２のカバーされたＣＤＭ信号を形成するために前記第２のＣＤＭ信号をカバリング系列でカバーする第４の符号器と、
前記第１のカバーされたＣＤＭ信号を同相チャネルで、前記第２のカバーされたＣＤＭ信号を直交チャネルで送信する送信機と、をさらに備える、請求項１に記載の装置。
【請求項６】
１つ以上の前記複数のシンボルストリームがコマンド値を備えており、前記コマンド値は肯定応答、否定応答、または肯定応答および継続を示している、請求項１に記載の装置。
【請求項７】
前記符号器は符号化時間を２つ以上のセグメントに分割し、前記複数のシンボルストリームの各々を、２つ以上の系列でカバーし、各系列は前記２つ以上のセグメントそれぞれの間にカバーするためのものであり、セグメントの間に各シンボルストリームをカバーする前記系列は前記それぞれのシンボルストリームに対して一意である、請求項１に記載の装置。
【請求項８】
第１の系列が遠隔局識別子に対応するアダマール系列として選択され、第２の系列が、遠隔局識別子＋５  ｍｏｄｕｌｏ  前記複数のシンボルストリームの半数、として選択される、請求項７に記載の装置。
【請求項９】
第１の系列が遠隔局識別子に対応するアダマール系列として選択され、第２の系列が遠隔局識別子＋７  ｍｏｄｕｌｏ  前記複数のシンボルストリームの半数、として選択される、請求項７に記載の装置。
【請求項１０】
各系列が時変的に割り当てられる、請求項７に記載の装置。
【請求項１１】
複数のシンボルストリームを受信し、複数のカバーされたＣＤＭ信号を生成する複数のＣＤＭ符号器であって、各ＣＤＭ符号器は、
前記複数のシンボルストリームを受信し、複数のカバーされた系列を形成するために前記シンボルストリームの各々を複数のカバリング系列のうちの１つによって符号化する第１の符号器と、
ＣＤＭ信号を形成するために前記複数のカバーされた系列を加算する加算器と、
前記複数のカバーされたＣＤＭ信号を受信し、前記複数のカバーされたＣＤＭ信号を備える時分割多重（ＴＤＭ）信号を形成するタイムマルチプレクサと、
カバーされたＴＤＭ／ＣＤＭ信号を形成するために前記ＴＤＭ信号をカバリング系列でカバーする第２の符号器と、を備える複数のＣＤＭ符号器を備える、装置。
【請求項１２】
各ＣＤＭ符号器はさらに、複数の利得値を受信し、前記複数のカバーされた系列に、前記加算器への送出前に、それぞれ前記複数の利得値を乗算する１つ以上のチャネル利得ブロックを備える、請求項１１に記載の装置。
【請求項１３】
前記カバーされたＴＤＭ／ＣＤＭ信号と１つ以上のさらなるカバーされた信号とを受信し、結合されたＣＤＭ信号を形成するために、前記カバーされたＴＤＭ／ＣＤＭ信号と１以上のさらなるカバーされた信号とを結合し、前記結合されたＣＤＭ信号を遠隔局に送信する送信機をさらに備える、請求項１１に記載の装置。
【請求項１４】
第１のカバリング系列でカバーされ、１つ以上のサブＣＤＭ信号を備えるＣＤＭ信号であって、前記１つ以上のサブＣＤＭ信号の各々は、それぞれ第２の複数のカバリング系列によってカバーされている複数のシンボル系列を備えるＣＤＭ信号で動作可能な装置において、
前記ＣＤＭ信号を受信する受信機と、
逆拡散ＣＤＭ信号を生成するために、前記受信されたＣＤＭ信号を前記第１のカバリング系列によって逆拡散する第１の逆拡散器と、
回復されたシンボル系列を生成するために、前記逆拡散されたＣＤＭ信号を前記第２のカバリング系列のうちの１つによって逆拡散する第２の逆拡散器と、を備える、装置。
【請求項１５】
前記第２の逆拡散器は、１つ以上のさらなる回復されたシンボル系列を生成するために、前記逆拡散されたＣＤＭ信号を１つ以上のさらなる第２のカバリング系列でさらに逆拡散する、請求項１４に記載の装置。
【請求項１６】
第１のカバリング系列でカバーされ、１つ以上のＴＤＭ信号を備えるＣＤＭ信号であって、前記１つ以上のＴＤＭ信号の各々は１つ以上のサブＣＤＭ信号を備えており、前記１つ以上のサブＣＤＭ信号の各々は、それぞれ第２の複数のカバリング系列によってカバーされている複数のシンボル系列を備えるＣＤＭ信号で動作可能な装置であって、
前記ＣＤＭ信号を受信する受信機と、
逆拡散されたＣＤＭ信号を生成するために、前記受信されたＣＤＭ信号を前記第１のカバリング系列によって逆拡散する第１の逆拡散器と、
前記ＴＤＭ信号のうちの１つを前記逆拡散されたＣＤＭ信号から選択するデマルチプレクサと、
回復されたシンボル系列を生成するために、前記選択されたＴＤＭ信号を前記第２のカバリング系列のうちの１つによって逆拡散する第２の逆拡散器と、を備える、装置。
【請求項１７】
複数のシンボルストリームを受信し、複数のカバーされた系列を形成するために前記シンボルストリームの各々を複数のカバリング系列のうちの１つによって符号化する第１の符号器と、
第１の符号分割多重（ＣＤＭ）信号を形成するために、前記複数のカバーされた系列を加算する加算器と、
第１のカバーされたＣＤＭ信号を形成するために、前記第１のＣＤＭ信号をカバリング系列でカバーする第２の符号器と、を備える、無線通信デバイス。
【請求項１８】
複数のシンボルストリームを受信し、複数のカバーされたＣＤＭ信号を生成する複数のＣＤＭ符号器であって、各ＣＤＭ符号器は、
前記複数のシンボルストリームを受信し、複数のカバーされた系列を形成するために前記シンボルストリームの各々を複数のカバリング系列のうちの１つによって符号化する第１の符号器と、
ＣＤＭ信号を形成するために前記複数のカバーされた系列を加算する加算器と、
前記複数のカバーされたＣＤＭ信号を受信し、前記複数のカバーされたＣＤＭ信号を備える時分割多重（ＴＤＭ）信号を形成するタイムマルチプレクサと、
カバーされたＴＤＭ／ＣＤＭ信号を形成するために前記ＴＤＭ信号をカバリング系列によってカバーする第２の符号器と、を備える複数のＣＤＭ符号器を備える、無線通信デバイス。
【請求項１９】
第１のカバリング系列でカバーされ、１つ以上のサブＣＤＭ信号を備えるＣＤＭ信号であって、前記１つ以上のサブＣＤＭ信号の各々は、それぞれ第２の複数のカバリング系列によってカバーされている複数のシンボル系列を備えるＣＤＭ信号で動作可能な装置において、
前記ＣＤＭ信号を受信する受信機と、
逆拡散されたＣＤＭ信号を生成するために、前記受信されたＣＤＭ信号を前記第１のカバリング系列によって逆拡散する第１の逆拡散器と、
回復されたシンボル系列を生成するために、前記逆拡散されたＣＤＭ信号を前記第２のカバリング系列のうちの１つによって逆拡散する第２の逆拡散器と、を備える、無線通信デバイス。
【請求項２０】
第１のカバリング系列によってカバーされ、１つ以上のＴＤＭ信号を備えるＣＤＭ信号であって、前記１つ以上のＴＤＭ信号の各々は１つ以上のサブＣＤＭ信号を備えており、前記１つ以上のサブＣＤＭ信号の各々は、それぞれ第２の複数のカバリング系列によってカバーされている複数のシンボル系列を備えるＣＤＭ信号で動作可能な無線通信デバイスであって、
前記ＣＤＭ信号を受信する受信機と、
逆拡散されたＣＤＭ信号を生成するために前記受信されたＣＤＭ信号を前記第１のカバリング系列によって逆拡散する第１の逆拡散器と、
前記ＴＤＭ信号のうちの１つを前記逆拡散されたＣＤＭ信号から選択するデマルチプレクサと、
回復された記号系列を生成するために、前記選択されたＴＤＭ信号を前記第２のカバリング系列のうちの１つによって逆拡散する第２の逆拡散器と、を備える、無線通信デバイス。
【請求項２１】
複数のシンボルストリームを受信し、複数のカバーされた系列を形成するために前記シンボルストリームの各々を複数のカバリング系列のうちの１つによって符号化する第１の符号器と、
第１の符号分割多重（ＣＤＭ）信号を形成するために、前記複数のカバーされた系列を加算する加算器と、
第１のカバーされたＣＤＭ信号を形成するために、前記第１のＣＤＭ信号をカバリング系列によってカバーする第２の符号器と、を備える第１の無線通信デバイスを含む、無線通信システム。
【請求項２２】
前記第１のカバーされたＣＤＭ信号を受信する受信機と、
逆拡散されたＣＤＭ信号を生成するために、前記受信されたＣＤＭ信号を前記第１のカバリング系列によって逆拡散する第１の逆拡散器と、
回復されたシンボル系列を生成するために、前記逆拡散されたＣＤＭ信号を前記第２のカバリング系列のうちの１つによって逆拡散する第２の逆拡散器と、を備える第２の無線通信デバイスをさらに備える、請求項２１に記載の無線通信システム。
【請求項２３】
複数のシンボルストリームを受信し、複数のカバーされたＣＤＭ信号を生成する複数のＣＤＭ符号器であって、各ＣＤＭ符号器は、
前記複数のシンボルストリームを受信し、複数のカバーされた系列を形成するために前記シンボルストリームの各々を複数のカバリング系列のうちの１つによって符号化する第１の符号器と、
ＣＤＭ信号を形成するために前記複数のカバーされた系列を加算する加算器と、
前記複数のカバーされたＣＤＭ信号を受信し、前記複数のカバーされたＣＤＭ信号を備える時分割多重（ＴＤＭ）信号を形成するタイムマルチプレクサと、
カバーされたＴＤＭ／ＣＤＭ信号を形成するために前記ＴＤＭ信号をカバリング系列によってカバーする第２の符号器と、を備える複数のＣＤＭ符号器を備える無線通信デバイスを含む、無線通信システム。
【請求項２４】
前記ＴＤＭ／ＣＤＭ信号を受信する受信機と、
逆拡散されたＣＤＭ信号を生成するために、前記受信されたＴＤＭ／ＣＤＭ信号を前記第１のカバリング系列によって逆拡散する第１の逆拡散器と、
前記ＴＤＭ信号のうちの１つを前記逆拡散されたＣＤＭ信号から選択するデマルチプレクサと、
回復されたシンボル系列を生成するために、前記選択されたＴＤＭ信号を前記第２のカバリング系列のうちの１つによって逆拡散する第２の逆拡散器と、を備える第２の無線通信デバイスをさらに備える、請求項２３に記載の無線通信システム。
【請求項２５】
複数のカバーされた系列を形成するために複数のシンボルストリームの各々を複数のカバリング系列のうちの１つによってカバーすることと、
第１のＣＤＭ信号を形成するために前記複数のカバーされた系列を加算することと、
第１のカバーされたＣＤＭ信号を形成するために前記第１のＣＤＭ信号をカバリング系列でカバーすることと、を備える、複数のシンボルストリームを多重化する方法。
【請求項２６】
前記複数のカバーされた系列に、加算の前に、それぞれ複数の利得値を乗算することをさらに備える、請求項２５に記載の方法。
【請求項２７】
前記第１のカバーされたＣＤＭ信号と１つ以上のさらなるカバーされた信号とを結合することと、
前記結合された信号を１つ以上の遠隔局に送信することと、をさらに備える、請求項２５に記載の方法。
【請求項２８】
第２の複数のカバーされた系列を形成するために第２の複数のシンボルストリームの各々を前記複数のカバリング系列のうちの１つでカバーすることと、
第２のＣＤＭ信号を形成するために前記第２の複数のカバーされた系列を加算することと、
第２のカバーされたＣＤＭ信号を形成するために前記第２のＣＤＭ信号をカバリング系列でカバーすることと、
前記第１のカバーされたＣＤＭ信号を同相チャネルで送信することと、
前記第２のカバーされたＣＤＭ信号を直交チャネルで送信することと、をさらに備える、請求項２５に記載の方法。
【請求項２９】
１つ以上の前記複数のシンボルストリームはコマンド値を備えており、前記コマンド値は肯定応答、否定応答、または、肯定応答および継続を示している、請求項２５に記載の方法。
【請求項３０】
前記複数のシンボルストリームの各々をカバーすることは、
前記符号化時間を２つ以上のセグメントに分割することと、
前記複数のシンボルストリームの各々を、２つ以上の系列であって、各系列は前記２つ以上のセグメントのそれぞれの間にカバーするためのものであり、１セグメントの間に各シンボルストリームをカバーする前記系列は前記それぞれのシンボルストリームに対して一意である、２つ以上の系列でカバーすること、を備える、請求項２５に記載の方法。
【請求項３１】
前記２つ以上の系列はアダマール系列である、請求項３０に記載の方法。
【請求項３２】
前記２つ以上の系列は時変的に割り当てられている、請求項３０に記載の方法。
【請求項３３】
複数のカバーされた系列を形成するために、複数のシンボルストリームの各々を複数のカバリング系列のうちの１つでカバーすることと、
複数のＣＤＭ信号を形成するために前記複数のカバーされた系列のサブセットを加算することと、
ＴＤＭ信号を形成するために前記複数のＣＤＭ信号を時分割多重化することと、
カバーされたＴＤＭ／ＣＤＮ信号を形成するために、前記第１のＴＤＭ信号をカバリング系列でカバーすることと、を備える、複数のシンボルストリームを多重化する方法。
【請求項３４】
前記第１のカバーされたＴＤＭ／ＣＤＭ信号と１つ以上のさらなるカバーされた信号とを結合することと、
前記結合された信号を１つ以上の遠隔局に送信することと、をさらに備える、請求項３３に記載の方法。
【請求項３５】
ＣＤＭ信号を受信することと、
前記受信されたＣＤＭ信号を第１のカバリング系列によって逆拡散することと、
復号されたシンボル系列を生成するために、前記逆拡散された受信されたＣＤＭ信号を第２のカバリング系列によって逆拡散することと、を備える、シンボル系列を復号する方法。
【請求項３６】
ＣＤＭ信号を受信することと、
前記受信されたＣＤＭ信号を第１のカバリング系列によって逆拡散することと、
ＴＤＭ信号を選択するために、前記逆拡散された受信されたＣＤＭ信号を時分割逆多重化することと、
復号されたシンボル系列を生成するために、前記選択されたＴＤＭ信号を第２のカバリング系列によって逆拡散することと、を備える、記号系列復号方法。
【請求項３７】
複数のカバーされた系列を形成するために、複数のシンボルストリームの各々を複数のカバリング系列のうちの１つによってカバーする手段と、
第１のＣＤＭ信号を形成するために前記複数のカバーされた系列を加算する手段と、
第１のカバーされたＣＤＭ信号を形成するために前記第１のＣＤＭ信号をカバリング系列でカバーする手段と、を備える、装置。
【請求項３８】
複数のカバーされた系列を形成するために複数のシンボルストリームの各々を複数のカバー系列のうちの１つでカバーする手段と、
複数のＣＤＭ信号を形成するために前記複数のカバーされた系列のサブセットを加算する手段と、
ＴＤＭ信号を形成するために前記複数のＣＤＭ信号を時分割多重化する手段と、
カバーされたＴＤＭ／ＣＤＭ信号を形成するために前記第１のＴＤＭ信号をカバリング系列でカバーする手段と、を備える、装置。
【請求項３９】
ＣＤＭ信号を受信する手段と、
前記受信されたＣＤＭ信号を第１のカバリング系列によって逆拡散する手段と、
復号されたシンボル系列を生成するために、前記逆拡散された受信されたＣＤＭ信号を第２のカバリング系列によって逆拡散する手段と、を備える、装置。
【請求項４０】
ＣＤＭ信号を受信する手段と、
前記受信されたＣＤＭ信号を第１のカバリング系列によって逆拡散する手段と、
ＴＤＭ信号を選択するために、前記逆拡散された受信されたＣＤＭ信号を時分割逆多重化する手段と、
復号されたシンボル系列を生成するために、前記選択されたＴＤＭ信号を第２のカバリング系列によって逆拡散する手段と、を備える、装置。
【請求項４１】
複数のカバーされた系列を形成するために、複数のシンボルストリームの各々を複数のカバリング系列のうちの１つによってカバーし、
第１のＣＤＭ信号を形成するために、前記複数のカバーされた系列を加算し、
第１のカバーされたＣＤＭ信号を形成するために、前記第１のＣＤＭ信号をカバリング系列でカバーするステップと、
を実行するように動作可能な、プロセッサ読み取り可能な媒体。
【請求項４２】
複数のカバーされた系列を形成するために、複数のシンボルストリームの各々を複数のカバリング系列のうちの１つでカバーし、
複数のＣＤＭ信号を形成するために、前記複数のカバーされた系列のサブセットを加算し、
ＴＤＭ信号を形成するために前記複数のＣＤＭ信号を時分割多重化し、
カバーされたＴＤＭ／ＣＤＭ信号を形成するために前記第１のＴＤＭ信号をカバリング系列でカバーする、
ステップを実行するように動作可能な、プロセッサ読み取り可能な媒体。
【請求項４３】
ＣＤＭ信号を受信し、
前記受信されたＣＤＭ信号を第１のカバリング系列によって逆拡散し、
復号されたシンボル系列を生成するために、前記逆拡散された受信されたＣＤＭ信号を第２のカバリング系列によって逆拡散する、
ステップを実行するように動作可能な、プロセッサ読み取り可能な媒体。
【請求項４４】
ＣＤＭ信号を受信し、
前記受信されたＣＤＭ信号を第１のカバリング系列によって逆拡散し、
ＴＤＭ信号を選択するために、前記逆拡散された受信されたＣＤＭ信号を時分割逆多重化し、
復号されたシンボル系列を生成するために、前記選択されたＴＤＭ信号を第２のカバリング系列によって逆拡散する、
ステップを実行するように動作可能な、プロセッサ読み取り可能な媒体。
【発明の詳細な説明】
【技術分野】
【０００１】
（関連出願の相互参照）
本出願は、「リバースリンクデータ通信（ＲＥＶＥＲＳＥ  ＬＩＮＫ  ＤＡＴＡ  ＣＯＭＭＵＮＩＣＡＴＩＯＮ）」と題され、２００３年２月１８日に出願された米国仮特許出願第６０／４４８，２６９号、「通信システムにおけるリバースリンク通信用の方法および装置（ＭＥＴＨＯＤ  ＡＮＤ  ＡＰＰＡＲＡＴＵＳ  ＦＯＲ  Ａ  ＲＥＶＥＲＳＥ  ＬＩＮＫ  ＣＯＭＭＵＮＩＣＡＴＩＯＮ  ＩＮ  Ａ  ＣＯＭＭＵＮＩＣＡＴＩＯＮ  ＳＹＳＴＥＭ）」と題され、２００３年３月６日に出願された米国仮特許出願第６０／４５２，７９０号、「ＩＳ−２０００リバースリンクにおけるＱｏＳ用の方法および装置（ＭＥＴＨＯＤ  ＡＮＤ  ＡＰＰＡＲＡＴＵＳ  ＦＯＲ  ＱＵＡＬＩＴＹ  ＯＦ  ＳＥＲＶＩＣＥ  ＩＮ  ＩＳ−２０００  ＲＥＶＥＲＳＥ  ＬＩＮＫ）」と題され、２００３年５月１２日に提出された米国仮特許出願第６０／４７０，２２５号、および「ＲＥＬ．Ｄ用の外部ループ電力コントロール（ＯＵＴＥＲ−ＬＯＯＰ  ＰＯＷＥＲ  ＣＯＮＴＲＯＬ  ＦＯＲ  ＲＥＬ．Ｄ）」と題され、２００３年５月１４日に出願された米国仮特許出願第６０／４７０，７７０号の優先権を主張するものである。
【０００２】
本発明は概して無線通信に関し、より具体的には、符号分割多重チャネル上の符号分割多重コマンドや信号のための新規かつ改良された方法および装置に関する。
【背景技術】
【０００３】
無線通信システムは、音声およびデータなどの種々のタイプの通信を提供するために広く展開されている。これらのシステムは符号分割多重接続（ＣＤＭＡ）、時分割多重接続（ＴＤＭＡ）、または他の多重接続技術を基礎とすることができる。ＣＤＭＡシステムは、システム容量の増加を含む、他のタイプのシステムに対して特定の利点を提供する。
【０００４】
ＣＤＭＡシステムは、（１）「デュアルモード広帯域スペクトル拡散セルラーシステム用のＴＩＡ／ＥＩＡ−９５−Ｂ移動局／基地局互換性標準」（ＩＳ−９５標準）、（２）「第３世代パートナーシッププロジェクト」（３ＧＰＰ）と称されるコンソーシアムによって提供され、かつ文書番号３Ｇ  ＴＳ  ２５．２１１、３Ｇ  ＴＳ  ２５．２１２、３Ｇ  ＴＳ  ２５．２１３、および３Ｇ  ＴＳ  ２５．２１４を含む１セットの文書で具現化されている標準（Ｗ−ＣＤＭＡ標準）、（３）「第３世代パートナーシッププロジェクト２」（３ＧＰＰ２）と称されるコンソーシアムによって提供され、かつ「ｃｄｍａ２０００スペクトル拡散システム用のＴＲ−４５．５物理層標準」（ＩＳ−２０００標準）において具現化されている標準、および（４）他の標準などの１つ以上のＣＤＭＡ標準をサポートするように設計可能である。
【０００５】
上記の標準において、使用可能なスペクトルは多数のユーザ間で同時に共有されており、また電力コントロールおよびソフトハンドオフなどの技術は、音声などの遅延に敏感なサービスをサポートするのに十分な品質を維持するために用いられる。データサービスもまた使用可能である。ごく最近、より高次の変調と、移動局からのキャリア／干渉比（Ｃ／Ｉ）の超高速フィードバックと、超高速スケジューリングと、遅延要件がより緩和されているサービスのスケジューリングとを使用することによってデータサービスの容量を高めるシステムが提案されている。これらの技術を使用するデータオンリーの通信システムなどの一例は、ＴＩＡ／ＥＩＡ／ＩＳ−８５６標準（ＩＳ−８５６標準）に準拠する高データレート（ＨＤＲ）システムである。
【０００６】
その他の上記の標準と対照的に、ＩＳ−８５６システムは各セルにおいて使用可能なスペクトル全体を使用して、リンク品質に基づいて選択された１人のユーザにデータを一度に送信する。その際に、システムはチャネルが良好な場合に、より高レートでデータを送信することに、より多くの時間を費やすことによって、非能率的なレートでの送信をサポートすることにリソースを使用することを回避する。最終的な効果はより高いデータ容量と、より高いピークデータレートと、より高い平均スループットである。
【０００７】
システムは、ＩＳ−８５６標準に説明されているようなパケットデータサービスのサポートに伴って、ＩＳ−２０００標準でサポートされている音声チャネルやデータチャネルなどの遅延に敏感なデータのサポートを内蔵することができる。このようなシステムの１つが、ＬＧ  Ｅｌｅｃｔｒｏｎｉｃｓ、ＬＳＩ  Ｌｏｇｉｃ、Ｌｕｃｅｎｔ  Ｔｅｃｈｎｏｌｏｇｉｅｓ、Ｎｏｒｔｅｌ  Ｎｅｔｗｏｒｋｓ、ＱＵＡＬＣＯＭＭ  Ｉｎｃｏｒｐｏｒａｔｅｄ、およびＳａｍｓｕｎｇによって第３世代パートナーシッププロジェクト２（３ＧＰＰ２）に提出されている提案に説明されている。提案は、２００１年６月１１日に文書番号第Ｃ５０−２００１０６１１−００９号として３ＧＰＰ２に提出された、「１ｘＥＶ−ＤＶ用の更新ジョイント物理層の提案（Ｕｐｄａｔｅｄ  Ｊｏｉｎｔ  Ｐｈｙｓｉｃａｌ  Ｌａｙｅｒ  Ｐｒｏｐｏｓａｌ  ｆｏｒ  １ｘＥＶ−ＤＶ）」、２００１年８月２０日に、文書番号第Ｃ５０−２００１０８２０−０１１号として３ＧＰＰ２に提出された「Ｌ３ＮＱＳシミュレーション研究の結果（Ｒｅｓｕｌｔｓ  ｏｆ  Ｌ３ＮＱＳ  Ｓｉｍｕｌａｔｉｏｎ  Ｓｔｕｄｙ）」、２００１年８月２０日に文書番号第Ｃ５０−２００１０８２０−０１２号として３ＧＰＰ２に提出された「ｃｄｍａ２０００  １ｘＥＶ−ＤＶ用のＬ３ＮＱＳフレームワーク提案についてのシステムシミュレーション結果（Ｓｙｓｔｅｍ  Ｓｉｍｕｌａｔｉｏｎ  Ｒｅｓｕｌｔｓ  ｆｏｒ  ｔｈｅ  Ｌ３ＮＱＳ  Ｆｒａｍｅｗｏｒｋ  Ｐｒｏｐｏｓａｌ  ｆｏｒ  ｃｄｍａ２０００  １ｘＥＶ−ＤＶ）」と題された文書に詳述されている。これらおよび、Ｃ．Ｓ０００１．ＣからＣ．Ｓ０００６．Ｃを含む、ＩＳ−２０００標準のＲｅｖｉｓｉｏｎ  Ｃなどの引き続き出された関連文書は以下１ｘＥＶ−ＤＶ提案と称される。
【０００８】
効率的にフォワードリンクおよびリバースリンクの使用を調整するために、例えば１ｘＥＶ−ＤＶ提案のシステムは、基地局からのフィードバックを多数のサポートされている移動局へ導くことを必要としてもよい。このようなフィードバックが１つ以上のコントロールチャネル上で送信されることは一般的である。ＣＤＭＡシステムにおいて、このようなコントロールチャネルは、符号分割多重化（ＣＤＭ）を使用して他のコントロールチャネルおよび／またはデータチャネルと多重化されてもよい。従来、複数の移動局に到達するために、コントロールチャネルを時分割して移動局の各々に送信する。従って、コントロールチャネルは時分割多重化（ＴＤＭ）を使用して多重化されて、複数の移動局についての信号やコマンドを内蔵してもよい。そして結果として得られるＴＤＭコントロールチャネルはＣＤＭを使用する、コントロール、音声またはデータのいずれかの他のチャネルと共に送信されてもよい。このようなＴＤＭオンＣＤＭチャネルの一例は、ｃｄｍａ２０００における電力コントロールチャネルである。
【０００９】
無線システム設計において周知であるように、チャネルが同様の確実性でより少ない電力を使用して送信され得る場合、システムの容量は改良され得る。従って、当技術分野ではより効率的なコントロールチャネルの必要性がある。さらに、ＴＤＭオンＣＤＭチャネルは、システム設計パラメータを考えると、不十分な、または実現不可能なピーク電力要件を有していることがある。従って、当技術分野においては、複数の移動局に到達できることによって共有通信リソースの効率的な使用を可能にする一方で、ピーク電力設計の制約を満たし、かつこのようなコントロールに割り当てられているシステム容量を削減することが可能なコントロールチャネルの必要性がある。
【発明の概要】
【００１０】
本明細書に開示されている実施形態は、複数の移動局への効率的なシグナリングの必要性に対処する。一実施形態において、複数のシンボルストリーム（ｓｙｍｂｏｌ  ｓｔｒｅａｍｓ）の各々は複数のカバー系列のうちの１つで符号化され、前記カバーされたシンボルストリームは結合されて符号分割多重（ＣＤＭ）信号を形成し、前記ＣＤＭ信号は、遠隔局への送信用の１つ以上の更なる信号によって符号分割多重化するための別のカバー系列によってさらにカバーされる。別の実施形態において、複数のＣＤＭ信号はカバーされたシンボルストリームから形成され、前記複数のＣＤＭ信号は更なるカバーの前に時分割多重化（ＴＤＭ）される。他の実施形態においては、デカバリング（ｄｅｃｏｖｅｒｉｎｇ）および逆多重化（ｄｅｍｕｌｔｉｐｌｅｘｉｎｇ）を実行して１つ以上のシンボルストリームを回復する。種々の他の態様もまた示されている。これらの態様は、リバースリンク容量の効率的な利用を提供し、短い待ち時間（ｌｏｗ−ｌａｔｅｎｃｙ）や、高いスループットや異なるＱｏＳなどの様々な要件を受容し、これらの利点を提供するためにフォワードおよびリバースリンクのオーバーヘッドを軽減して、過度な干渉および容量の増大を回避するという利点を有している。
【００１１】
本発明は、さらに詳細に以下に説明されている本発明の種々の態様、実施形態および特徴を実現する方法およびシステム要素を提供する。
【図面の簡単な説明】
【００１２】
【図１】多数のユーザをサポート可能な無線通信システムの一般的なブロック図である。
【図２】データ通信に適合されたシステムに構成されている例示的移動局および基地局を示している。
【図３】移動局や基地局などの無線通信デバイスのブロック図である。
【図４】リバースリンクデータ通信用のデータおよびコントロール信号の例示的実施形態を示している。
【図５】コマンドストリーム送信機の一部の従来技術の実施形態を示している。
【図６】複数の入力系列を受信し、符号分割多重化を使用してこれらを結合して、他のＣＤＭ信号と共に当該結合信号を１つ以上の移動局に送信するためのＣＤＭオンＣＤＭ符号器の実施形態を示している。
【図７Ａ】ＣＤＭ信号にＣＤＭおよびＴＤＭ技術を結合する実施形態を示している。
【図７Ｂ】ＣＤＭ信号にＣＤＭおよびＴＤＭ技術を結合する実施形態を示している。
【図８】パターン反復を利用する実施形態を示している。
【発明を実施するための形態】
【００１３】
本発明の特徴、性質および利点は、全体に渡って同様の符号は同様に識別する図面と関連して理解すれば、以下の詳細な説明からより明らかになるであろう。
【００１４】
図１は、１つ以上のＣＤＭＡ標準および／または設計（例えばＷ−ＣＤＭＡ標準、ＩＳ−９５標準、ｃｄｍａ２０００標準、ＨＤＲ仕様、１ｘＥＶ−ＤＶ提案）をサポートするように設計可能な無線通信システム１００の図である。別の実施形態において、システム１００は、ＣＤＭＡシステム以外の任意の無線標準や設計をさらにサポート可能である。例示的実施形態において、システム１００は１ｘＥＶ−ＤＶシステムである。
【００１５】
簡単にするために、システム１００は２つの移動局１０６と通信している３つの基地局１０４を含むものとして示されている。基地局およびそのカバレージエリアはしばしば総称的に「セル」と称される。例えばＩＳ−９５や、ｃｄｍａ２０００や、１ｘＥＶ−ＤＶシステムにおいて、セルは１つ以上のセクタを含んでいてもよい。Ｗ−ＣＤＭＡ仕様において、基地局の各セクタとセクタのカバレージエリアはセルと称される。本明細書で使用されているように、基地局という用語はアクセスポイントやノードＢという用語と同義的に使用可能である。移動局という用語はユーザ機器（ＵＥ）、加入者ユニット、加入者局、アクセス端末、リモート端末という用語や、当技術分野において公知の他の対応する用語と同義的に使用可能である。移動局という用語は固定無線アプリケーションを含んでいる。
【００１６】
実現されているＣＤＭＡシステムに応じて、各移動局１０６は所与の瞬間にフォワードリンク上の１つ（場合によっては複数の）基地局１０４と通信可能であり、また移動局がソフトハンドオフ中であるか否かに応じてリバースリンク上の１つ以上の基地局と通信可能である。フォワードリンク（つまりダウンリンク）は基地局から移動局への送信のことであり、リバースリンク（つまりアップリンク）は移動局から基地局への送信のことである。
【００１７】
本明細書に説明されている種々の実施形態はリバースリンク送信をサポートするためのリバースリンクまたはフォワードリンク信号を提供することを目的としており、リバースリンク送信の性質によく適しているものもあるが、当業者は、移動局ならびに基地局が本明細書に説明されているようなデータを送信し得るということ、および、本発明の態様がこれらの状況にも適合するということを理解するであろう。用語「例示的」は、もっぱら「例、事例あるいは例証としての役目を果たすこと」を意味するために本明細書では使用されている。本明細書において「例示的」として説明されるいかなる実施形態も、他の実施形態よりも好適な、あるいは有利なものとして解釈されるべきではない。
【００１８】
１ｘＥＶ−ＤＶフォワードリンクデータ送信およびリバースリンク電力コントロール 
１ｘＥＶ−ＤＶ提案に説明されているようなシステム１００は、一般的に４つのクラスのフォワードリンクチャネル、すなわちオーバーヘッドチャネルと、動的に変化するＩＳ−９５およびＩＳ−２０００チャネルと、フォワードパケットデータチャネル（Ｆ−ＰＤＣＨ）と、いくつかのスペアチャネルとを備える。オーバーヘッドチャネルの割り当てはゆっくり変化し、数ヶ月間変化しないこともある。これらは通常、重要なネットワーク構成変化がある場合に変化する。動的に変化するＩＳ−９５およびＩＳ−２０００チャネルは呼ごとに割り当てられ、あるいはＩＳ−９５やＩＳ−２０００のリリース０からＢのパケットサービスに使用される。通常、オーバーヘッドチャネルおよび動的に変化するチャネルが割り当てられた後に残っている使用可能な基地局の電力は残りのデータサービス用のＦ−ＰＤＣＨに割り当てられる。Ｆ−ＰＤＣＨは遅延にそれほど敏感ではないデータサービスに使用可能であるのに対して、ＩＳ−２０００チャネルは遅延により敏感なサービスに使用される。
【００１９】
ＩＳ−８５６標準のトラヒックチャネルに類似したＦ−ＰＤＣＨは、一度に各セルの１人のユーザにサポート可能な最高のデータレートでデータを送信するのに使用される。ＩＳ−８５６において、基地局の全電力およびウォルシュ関数（Ｗａｌｓｈ  ｆｕｎｃｔｉｏｎｓ）の全空間は移動局へのデータ送信の際に使用可能である。しかしながら、提案された１ｘＥＶ−ＤＶシステムにおいては、一部の基地局電力およびウォルシュ関数の一部はオーバーヘッドチャネルと、既存のＩＳ−９５およびｃｄｍａ２０００のサービスに割り当てられる。サポート可能なデータレートは、オーバーヘッドチャネル、ＩＳ−９５チャネルおよびＩＳ−２０００チャネル用の電力およびウォルシュコードが割り当てられた後に使用可能な電力およびウォルシュコードに主に依拠している。Ｆ−ＰＤＣＨ上で送信されるデータは１つ以上のウォルシュコードを使用して拡散される。
【００２０】
１ｘＥＶ−ＤＶ提案において、基地局は一般的に、多数のユーザがセルのパケットサービスを使用中であっても、一度に１つの移動局にＦ−ＰＤＣＨ上で送信する。（２人以上のユーザへの送信をスケジューリングし、電力および／またはウォルシュチャネルを各ユーザに適切に割り当てることによって２人以上のユーザに送信することも可能である。）移動局は何らかのスケジューリングアルゴリズムに基づいてフォワードリンク送信用に選択される。
【００２１】
ＩＳ−８５６や１ｘＥＶ−ＤＶに類似のシステムにおいて、スケジューリングは、サービスを提供されている移動局からのチャネル品質フィードバックに部分的に基づいている。例えば、ＩＳ−８５６において、移動局はフォワードリンクの品質を推定して、現在の条件に耐えうると思われる送信レートを算出する。各移動局からの所望のレートは基地局に送信される。スケジューリングアルゴリズムは、例えば、共有通信チャネルをより効率的に使用するために比較的高い送信レートをサポートする送信用の移動局を選択し得る。別の例として、１ｘＥＶ−ＤＶシステムにおいて、各移動局はキャリア／干渉（Ｃ／Ｉ）推定を、リバースチャネル品質インジケータチャネル、すなわちＲ−ＣＱＩＣＨ上のチャネル品質推定として送信する。スケジューリングアルゴリズムを使用して、送信用に選択された移動局ならびに、チャネル品質に従った適切なレートおよび送信フォーマットを判断する。
【００２２】
上記のとおり、無線通信システム１００はＩＳ−９５システムなどのように通信リソースを同時に共有している複数のユーザをサポートしても、ＩＳ−８５６システムなどのように通信リソース全体を一度に１人のユーザに割り当てても、あるいは両タイプのアクセスを許容するように通信リソースを割り当ててもよい。１ｘＥＶ−ＤＶシステムは通信リソースを両タイプのアクセス間で分割し、ユーザ要求に従った割り当てを動的に配分するシステムの一例である。以下は、両タイプのアクセスシステムの種々のユーザを収容するために通信リソースがどのように割り当て可能であるかについての簡単な背景である。電力コントロールを、ＩＳ−９５タイプのチャネルなどの、複数のユーザよる同時アクセスについて説明する。レート判断およびスケジューリングを、ＩＳ−８５６システムや１ｘＥＶ−ＤＶタイプのシステムのデータオンリーの（ｄａｔａ−ｏｎｌｙ）部分（つまりＦ−ＰＤＣＨ）などの、複数のユーザによる時分割方式のアクセスについて説明する。
【００２３】
ＩＳ−９５ＣＤＭＡシステムなどのシステムの容量は部分的に、システム内の種々のユーザへ、あるいは当該ユーザから信号を送信する際に発生する干渉によって決定される。通常のＣＤＭＡシステムの特徴は、移動局への、あるいは移動局からの送信用の信号を、当該信号が他の移動局による干渉に見えるように符号化および変調するという点である。例えば、フォワードリンク上では、基地局と１つの移動局間のチャネル品質は部分的には他のユーザ干渉によって決定される。移動局との所望の通信性能レベルを維持するために、移動局に割り当てられる送信電力は、基地局によってサービスされる他の移動局に送信する電力ならびに、そのチャネルが経験する他の妨害および劣化を克服できる程度に十分でなければならない。従って、容量を増加させるためには、サービスされる各移動局に必要な最小電力を送信することが望ましい。
【００２４】
通常のＣＤＭＡシステムにおいて、複数の移動局が基地局に送信している場合、規格化された（ｎｏｒｍａｌｉｚｅｄ）電力レベルで、基地局において複数の移動局信号を受信することが望ましい。従って、例えば、リバースリンク電力コントロールシステムは、近隣の移動局からの信号がもっと離れている移動局からの信号を圧倒しないように、各移動局からの送信電力を調整してもよい。フォワードリンクと同様に、所望の性能レベルを維持するのに必要な最小電力レベルに各移動局の送信電力を保つことによって、トークおよびスタンバイ時間の増加、バッテリ要件の軽減などの電力節約という他の利点に加えて、容量を最適化することができる。
【００２５】
ＩＳ−９５などの通常のＣＤＭＡシステムの容量はとりわけ他のユーザの干渉によって制約される。他のユーザの干渉は電力コントロールの使用によって緩和可能である。容量、音声品質、データ送信レートおよびスループットを含むシステムの全体的な性能は、可能な場合は常に所望の性能レベルを維持するために最低電力レベルで送信する局に依存している。これを達成すべく、種々の電力コントロール技術が当技術分野において公知である。
【００２６】
技術のうちの１つのクラスは閉ループ電力コントロールを含んでいる。例えば、閉ループ電力コントロールはフォワードリンク上で展開されてもよい。このようなシステムは移動局の内部および外部電力制御ループ（ｉｎｎｅｒ／ｏｕｔｅｒ  ｐｏｗｅｒ  ｃｏｎｔｒｏｌ  ｌｏｏｐ）を用いることができる。外部ループは所望の受信エラーレートに応じて目標受信電力レベルを決定する。例えば、１％の目標フレームエラーレートが所望のエラーレートとしてあらかじめ決定されてもよい。外部ループは、例えばフレームまたはブロック当たり１回という比較的ゆっくりとしたレートで目標受信電力レベルを更新してもよい。これに応答して、内部ループは、受信電力が目標に達するまで基地局にアップ又はダウン電力コントロールメッセージを送信する。これらの内部ループの電力コントロールコマンドは、効率的な通信のための所望の受信信号対雑音および干渉比を達成するために必要なレベルに送信電力を迅速に適合させるために、比較的頻繁に生じる。上記のとおり、移動局ごとのフォワードリンク送信電力を最低レベルに保つことは、各移動局で見られる他のユーザの干渉を削減し、残りの使用可能な送信電力を他の目的のために取っておくことを可能とする。ＩＳ−９５などのシステムにおいては、残りの使用可能な送信電力を使用して更なるユーザとの通信をサポートすることができる。１ｘＥＶ−ＤＶなどのシステムにおいては、残りの使用可能な送信電力を使用して、更なるユーザをサポートしたり、システムのデータオンリーの部分のスループットを増大させたりすることができる。
【００２７】
ＩＳ−８５６などの「データオンリーの」システムにおいて、あるいは１ｘＥＶ−ＤＶなどのシステムの「データオンリーの」部分において、コントロールループは基地局から移動局への送信を時分割的な方法で統制するために展開されてもよい。明確にするために、以下の説明においては、一度に１つの移動局への送信を説明する。これは、その一例がＩＳ−９５である同時アクセスシステムや、ｃｄｍａ２０００や１ｘＥＶ−ＤＶシステムにおける種々のチャネルと区別するためである。２つの注意点（ｎｏｔｅｓ）がこの時点で適切である。
【００２８】
第１に、用語「データオンリー」や「データチャネル」は、簡潔な説明のためにのみ、チャネルを、ＩＳ−９５タイプの音声チャネルやデータチャネル（つまり上記のような電力コントロールを使用する同時アクセスチャネル）と区別するために使用され得る。本明細書に説明されているデータオンリーまたはデータチャネルは、音声（例えば、ボイスオーバーインターネットプロトコル、つまりＶＯＩＰ）を含む任意のタイプのデータを送信するために使用可能であることは当業者には明らかであろう。特定のタイプのデータのための任意の特定の実施形態の有用性は、部分的にはスループット要件および待ち時間（ｌａｔｅｎｃｙ）要件などによって決定されてもよい。当業者は、所望のレベルの待ち時間、スループットおよびＱｏＳなどを提供するために選択されたパラメータといずれかのアクセスタイプとを結合して、種々の実施形態を容易に適合するであろう。
【００２９】
第２に、通信リソースを時分割するとして説明されている、１ｘＥＶ−ＤＶについて説明されているようなシステムのデータオンリーの部分は、１人以上のユーザに同時にフォワードリンクでのアクセスを提供するように適合可能である。通信リソースが一定の期間に１つの移動局やユーザとの通信を提供するために時分割されるものとして説明されている本明細書での例において、当業者は、それらの例を、その期間内で１つ以上の移動局やユーザへの、または１つ以上の移動局やユーザからの時分割送信を可能にする例に容易に適合するであろう。
【００３０】
通常のデータ通信システムは、種々のタイプの１つ以上のチャネルを含み得る。より具体的には、１つ以上のデータチャネルが一般に展開されている。帯域内制御シグナリング（ｉｎ−ｂａｎｄ  ｃｏｎｔｒｏｌ  ｓｉｇｎａｌｉｎｇ）がデータチャネルに含まれていてもよいが、１つ以上のコントロールチャネルが展開されることもまた一般的である。例えば、１ｘＥＶ−ＤＶシステムにおいて、フォワードパケットデータコントロールチャネル（Ｆ−ＰＤＣＣＨ）およびフォワードパケットデータチャネル（Ｆ−ＰＤＣＨ）は、フォワードリンク上でそれぞれコントロールおよびデータの送信について定義されている。
【００３１】
図２は、データ通信に適合されているシステム１００に構成されている例示的移動局１０６および基地局１０４を示している。フォワードリンクおよびリバースリンクで通信中である基地局１０４および移動局１０６が示されている。移動局１０６は受信サブシステム２２０においてフォワードリンク信号を受信する。以下に詳述されるフォワードデータおよびコントロールチャネルを通信する基地局１０４は、本明細書で、移動局１０６供給局と称され得る。例示的受信サブシステムを図３に関して以下にさらに詳述する。キャリア／干渉（Ｃ／Ｉ）推定は、移動局１０６において供給基地局から受信されたフォワードリンク信号についてなされる。Ｃ／Ｉ測定はチャネル推定として使用されるチャネル品質測定基準の一例であり、別のチャネル品質測定基準は別の実施形態において展開可能である。Ｃ／Ｉ測定は基地局１０４の送信サブシステム２１０に送られるが、その一例を図３に関して以下にさらに詳述する。
【００３２】
送信サブシステム２１０はＣ／Ｉ推定をリバースリンク上で送り、そこで当該Ｃ／Ｉ推定が供給基地局に送られる。当技術分野において周知であるソフトハンドオフ状況においては、移動局から送信されたリバースリンク信号は、本明細書では非供給基地局（ｎｏｎ−ｓｅｒｖｉｎｇ  ｂａｓｅ  ｓｔａｔｉｏｎｓ）と称される、供給基地局以外の１つ以上の基地局で受信されてもよい点に注目されたい。基地局１０４の受信サブシステム２３０は移動局１０６からＣ／Ｉ情報を受信する。
【００３３】
基地局１０４のスケジューラ２４０を使用して、供給セルのカバレージエリア内の１つ以上の移動局にデータが送信されるべきか否か、およびいかにしてデータが送信されるべきかを判断する。任意のタイプのスケジューリングアルゴリズムが本発明の範囲内で展開可能である。一例が、参照して本明細書に組み込まれる、本発明の譲受人に譲渡された、１９９７年２月１１に出願された「フォワードリンクレートスケジューリングのための方法および装置（ＭＥＴＨＯＤ  ＡＮＤ  ＡＰＰＡＲＡＴＵＳ  ＦＯＲ  ＦＯＲＷＡＲＤ  ＬＩＮＫ  ＲＡＴＥ  ＳＣＨＥＤＵＬＩＮＧ）」と題された米国特許出願第０８／７９８，９５１号に開示されている。
【００３４】
例示的な１ｘＥＶ−ＤＶの実施形態において、移動局は、当該移動局から受信したＣ／Ｉ測定が、データが一定のレートで送信可能であると示す場合に、フォワードリンク送信について選択される。システム容量の観点では、共有通信リソースが常にそのサポート可能な最大レートで利用されるように目標移動局を選択することが有利である。従って、選択された通常の目標移動局は、報告された最大のＣ／Ｉを有するものであってもよい。他の要因もまたスケジューリング判断に組み込まれていてもよい。例えば、最低限のＱｏＳ保証が種々のユーザに対してなされていてもよい。比較的低い報告されたＣ／Ｉを有する移動局が、そのユーザに対する最低限のデータ転送レートを維持するために送信について選択されるかもしれない。
【００３５】
例示的１ｘＥＶ−ＤＶシステムにおいて、スケジューラ２４０は、いずれの移動局に送信するか、またデータレート、変調フォーマットおよびその送信の電力レベルを判断する。例えばＩＳ−８５６システムなどの別の実施形態において、サポート可能なレート／変調フォーマットの判断は、移動局で測定されたチャネル品質に基づいて移動局でなされてもよく、また送信フォーマットはＣ／Ｉ測定の代わりに供給基地局に送信されてもよい。当業者は、本発明の範囲内で展開可能な、サポート可能なレート、変調フォーマットおよび電力レベルなどの無数の組み合わせを理解するであろう。さらに、本明細書に説明されている種々の実施形態においてはスケジューリングタスクが基地局で実行されるが、別の実施形態ではスケジューリング処理の一部または全部が移動局で実行されてもよい。
【００３６】
スケジューラ２４０は送信サブシステム２５０に、選択されたレート、変調フォーマットおよび電力レベルなどを使用して、選択された移動局にフォワードリンクで送信させる。
【００３７】
例示的実施形態において、コントロールチャネルつまりＦ−ＰＤＣＣＨ上のメッセージは、データチャネルつまりＦ−ＰＤＣＨ上のデータと共に送信される。コントロールチャネルを使用して、Ｆ−ＰＤＣＨ上のデータの受信移動局を識別し、かつ通信セッションの間に有用な他の通信パラメータを識別することができる。移動局は、当該移動局が送信の目標であることをＦ−ＰＤＣＣＨが示す場合に、Ｆ−ＰＤＣＨからのデータを受信および復調すべきである。移動局は、このようなデータの受信に続いて、送信の成功または失敗を示すメッセージでリバースリンク上で応答する。当技術分野において周知の再送信技術は広くデータ通信システムにおいて展開されている。
【００３８】
移動局は２つ以上の基地局と通信していてもよく、この状況はソフトハンドオフとして知られている。ソフトハンドオフは、ソフターハンドオフとして知られている１つの基地局（あるいは基地トランシーバサブシステム（ＢＴＳ））からの複数のセクタ、ならびに複数のＢＴＳからのセクタを含んでもよい。ソフトハンドオフの基地局セクタは一般的に移動局のアクティブセット（Ａｃｔｉｖｅ  Ｓｅｔ）に記憶されている。ＩＳ−９５、ＩＳ−２０００あるいは１ｘＥＶ−ＤＶシステムの対応部分などの、同時共有通信リソースシステムにおいて、移動局はアクティブセットの全セクタから送信されたフォワードリンク信号を結合してもよい。ＩＳ−８５６などのデータオンリーシステムや、１ｘＥＶ−ＤＶシステムの対応部分において、移動局は、（Ｃ．Ｓ０００２．Ｃ標準に説明されているような移動局の選択アルゴリズムに従って判断された）供給基地局である、アクティブセット中の１つの基地局からフォワードリンクデータ信号を受信する。他のフォワードリンク信号も、この例は以下にさらに詳述するが、非供給基地局から受信されてもよい。
【００３９】
移動局からのリバースリンク信号は複数の基地局で受信されてもよく、リバースリンクの品質は一般的にアクティブセット中の基地局に対して維持されている。複数の基地局で受信されたリバースリンク信号は結合可能である。一般的に、非配列基地局（ｎｏｎ−ｃｏｌｌｏｃａｔｅｄ  ｂａｓｅ  ｓｔａｔｉｏｎｓ）からのリバースリンク信号のソフト結合（ｓｏｆｔ  ｃｏｍｂｉｎｉｎｇ）は、ほとんど遅延のないかなりのネットワーク通信帯域を必要とし、上記に列挙されている例示的システムはそれをサポートしていない。ソフターハンドオフにおいて、単独のＢＴＳの複数のセクタで受信されたリバースリンク信号はネットワークシグナリングなしで結合可能である。任意のタイプのリバースリンク信号結合が本発明の範囲内で展開され得るのに対して、上記の例示的システムにおいては、リバースリンク電力コントロールは、リバースリンクフレームが１つのＢＴＳでうまく復号されるように品質を維持する（スイッチングダイバーシティ）。
【００４０】
ＩＳ−９５、ＩＳ−２０００、または１ｘＥＶ−ＤＶシステムの対応部分などの、同時共有通信リソースシステムにおいて、ある移動局についてソフトハンドオフ中の（つまり、当該移動局のアクティブセット中の）各基地局は当該移動局のリバースリンクパイロット品質を測定して、電力コントロールコマンドのストリームを送出する。ＩＳ−９５やＩＳ−２０００  Ｒｅｖ．Ｂにおいて、各ストリームは、フォワード基本チャネル（Ｆｏｒｗａｒｄ  Ｆｕｎｄａｍｅｎｔａｌ  Ｃｈａｎｎｅｌ）（Ｆ−ＦＣＨ）またはフォワード専用コントロールチャネル（Ｆｏｒｗａｒｄ  Ｄｅｄｉｃａｔｅｄ  Ｃｏｎｔｒｏｌ  Ｃｈａｎｎｅｌ）（Ｆ−ＤＣＣＨ）のいずれかが割り当てられている場合は、その上にパンクチャされる（ｐｕｎｃｔｕｒｅｄ）。移動局に対するコマンドのストリームは、その移動局に対するフォワード電力コントロールサブチャネル（Ｆｏｒｗａｒｄ  Ｐｏｗｅｒ  Ｃｏｎｔｒｏｌ  Ｓｕｂｃｈａｎｎｅｌ）（Ｆ−ＰＣＳＣＨ）と称される。移動局は、基地局ごとにそのアクティブセットの全メンバー（移動局のアクティブセット内のすべてが当該移動局に同一コマンドを送信する場合には、１つのＢＴＳからの複数のセクタ）からの並列コマンドストリームを受信し、「アップ」または「ダウン」コマンドが送信されたかを判断する。移動局は「Ｏｒ−ｏｆ−ｄｏｗｎｓ」規則を使用して、しかるべくリバースリンク送信電力レベルを修正する、すなわち、何らかの「ダウン」コマンドが受信される場合には送信電力レベルは軽減され、そうでなければ増加される。
【００４１】
Ｆ−ＰＣＳＣＨの送信電力レベルは通常、サブチャネルを搬送するホストＦ−ＤＣＣＨやＦ−ＦＣＨのレベルと結び付けられている。基地局でのホストＦ−ＦＣＨやＦ−ＤＣＣＨの送信電力レベルは、リバース電力コントロールサブチャネル（Ｒｅｖｅｒｓｅ  Ｐｏｗｅｒ  Ｃｏｎｔｒｏｌ  Ｓｕｂｃｈａｎｎｅｌ）（Ｒ−ＰＣＳＣＨ）での移動局からのフィードバックによって判断されるが、これはリバースパイロットチャネル（Ｒｅｖｅｒｓｅ  Ｐｉｌｏｔ  Ｃｈａｎｎｅｌ）（Ｒ−ＰＩＣＨ）の最後の１／４を占める。各基地局からのＦ−ＦＣＨやＦ−ＤＣＣＨはトラヒックチャネルフレームの単独のストリームを形成するので、Ｒ−ＰＣＳＣＨはこれらのレッグ（ｌｅｇｓ）の結合された復号結果を報告する。Ｆ−ＦＣＨやＦ−ＤＣＣＨの消去は外部ループの必要なＥｂ／Ｎｔセットポイントを決定するが、これはＲ−ＰＣＳＣＨ上の内部ループコマンド、ひいてはＦ−ＦＣＨ、Ｆ−ＤＣＣＨならびにそれらの上のＦ−ＰＣＳＣＨの基地局送信レベルを駆動する。
【００４２】
ソフトハンドオフにおける単独の移動局から各基地局へのリバースリンク経路損失の潜在的差異によって、アクティブセット中の基地局の一部はＲ−ＰＣＳＣＨを確実に受信することができないことがあり、またＦ−ＦＣＨ、Ｆ−ＤＣＣＨおよびＦ−ＰＣＳＣＨのフォワードリンク電力を正確にコントロールできないことがある。基地局は、移動局がソフトハンドオフの空間ダイバーシティ利得を保持するように、基地局の間で送信レベルを再調整する必要があり得る。さもなければ、フォワードリンクレッグの一部は、移動局からのフィードバック中のエラーによってトラヒック信号エネルギーをほとんど、またはまったく搬送することができないことがある。
【００４３】
異なる基地局は同一のリバースリンクセットポイントや受信品質について異なる移動局送信電力を必要とし得るので、異なる基地局からの電力コントロールコマンドは異なっていてもよく、ＭＳでソフト結合されることは不可能である。新たなメンバーがアクティブセットに追加されると（すなわち、１ｗａｙソフトハンドオフに対してソフトハンドオフなし、あるいは１ｗａｙから２ｗａｙへ、など）、Ｆ−ＰＣＳＣＨ送信電力はそのホストＦ−ＦＣＨやＦ−ＤＣＣＨに関して増加される。これは、前者は何も有していないのに対して、後者はより多くの空間ダイバーシティ（より少ない全必要Ｅｂ／Ｎｔ）と負荷分散（より少ないレッグ当たりのエネルギー）の両方を有しているからかもしれない。
【００４４】
反対に、１ｘＥＶ−ＤＶシステムにおいて、フォワード共通電力コントロールチャネル（Ｆｏｒｗａｒｄ  Ｃｏｍｍｏｎ  Ｐｏｗｅｒ  Ｃｏｎｔｒｏｌ  Ｃｈａｎｎｅｌ）（Ｆ−ＣＰＣＣＨ）は、フォワード基本チャネル（Ｆ−ＦＣＨ）やフォワード専用コントロールチャネル（Ｆ−ＤＣＣＨ）なしで移動局に対するリバースリンク電力コントロールコマンドを運ぶ。１ｘＥＶ−ＤＶ提案の先のバージョンにおいて、Ｆ−ＣＰＣＣＨの基地局送信電力レベルは、移動局から受信したリバースチャネル品質インジケータチャネル（Ｒｅｖｅｒｓｅ  Ｃｈａｎｎｅｌ  Ｑｕａｌｉｔｙ  Ｉｎｄｉｃａｔｏｒ  Ｃｈａｎｎｅｌ）（Ｒ−ＣＱＩＣＨ）によって判断されると想定されていた。Ｒ−ＣＱＩＣＨをスケジューリングの際に使用して、フォワードリンクチャネル品質測定に応答した適切なフォワードリンク送信フォーマットおよびレートを判断することができる。
【００４５】
しかしながら、移動局がソフトハンドオフ中である場合に、Ｒ−ＣＱＩＣＨは供給基地局セクタのフォワードリンクパイロット品質を報告するのみであるため、非供給基地局からのＦ−ＣＰＣＣＨを直接電力コントロールするためには使用不可能である。このための技術は、本発明の譲渡人に譲渡され、参照して本明細書に組み込まれる、２００２年２月１２日に出願された「通信システムにおけるソフトハンドオフ時のフォワードリンク電力コントロールのための方法および装置（Ｍｅｔｈｏｄ  ａｎｄ  Ａｐｐａｒａｔｕｓ  ｆｏｒ  Ｆｏｒｗａｒｄ  Ｌｉｎｋ  Ｐｏｗｅｒ  Ｃｏｎｔｒｏｌ  Ｄｕｒｉｎｇ  Ｓｏｆｔ  Ｈａｎｄｏｆｆ  ｉｎ  ａ  Ｃｏｍｍｕｎｉｃａｔｉｏｎ  Ｓｙｓｔｅｍ）」と題された米国特許出願第６０／３５６，９２９号に開示されている。
【００４６】
例示的基地局および移動局の実施形態 
図３は、移動局１０６や基地局１０４などの無線通信デバイスのブロック図である。この例示的実施形態に示されているブロックは一般的に、基地局１０４か移動局１０６のいずれかに含まれているコンポーネントのサブセットであろう。当業者は、図３に示されている実施形態を任意の数の基地局や移動局構成での使用に容易に適合させるであろう。
【００４７】
信号はアンテナ３１０で受信されて、受信機３２０に送られる。受信機３２０は、上記に列挙した標準などの１つ以上の無線システム標準に従って処理を実行する。受信機３２０は、無線周波数（ＲＦ）／ベースバンド変換、増幅、アナログ／デジタル変換およびフィルタリングなどの種々の処理を実行する。種々の受信技術が当技術分野において公知である。別個のチャネル品質推定器３３５が以下に詳述される説明を明確にするために示されているが、デバイスが移動局または基地局である場合には、それぞれ受信機３２０を使用してフォワードリンクまたはリバースリンクのチャネル品質を測定し得る。
【００４８】
受信機３２０からの信号は１つ以上の通信標準に従って復調器３２５で復調される。例示的実施形態において、１ｘＥＶ−ＤＶ信号を復調可能な復調器が配備されている。別の実施形態においては、別の標準がサポートされてもよく、実施形態は複数の通信フォーマットをサポートしてもよい。復調器３３０はレーキ（ＲＡＫＥ）受信、等化、結合、デインタリービング、復号、および、受信される信号のフォーマットによって必要とされる種々の他の機能を実行し得る。種々の復調技術が当技術分野では公知である。基地局１０４において、復調器３２５はリバースリンクに従って復調するであろう。移動局１０６においては、復調器３２５はフォワードリンクに従って復調するであろう。本明細書に説明されているデータチャネルおよびコントロールチャネルの両方とも、受信機３２０および復調器３２５で受信および復調可能なチャネルの例である。フォワードデータチャネルの復調は、上記のとおり、コントロールチャネル上のシグナリングに従って生じるであろう。以下に説明される種々の例示的実施形態において、復調器３２５は、カバリング系列（ｃｏｖｅｒｉｎｇ  ｓｅｑｕｅｎｃｅ）によってカバーされているＣＤＭ信号を復号する１つ以上の逆拡散器を含んでいてもよい。復調器３２５はまた、ＴＤＭ信号を逆多重化するデマルチプレクサを含んでいてもよい。
【００４９】
メッセージ復号器３３０は復調されたデータを受信し、フォワードまたはリバースリンク上でそれぞれ移動局１０６または基地局１０４へ向けられた信号またはメッセージを抽出する。メッセージ復号器３３０は、システム上の（音声またはデータセッションを含む）呼をセットアップ、維持および破壊する（ｔｅａｒｉｎｇ  ｄｏｗｎ）際に使用される種々のメッセージを復号する。メッセージは、Ｃ／Ｉ測定、電力コントロールメッセージ、あるいはフォワードデータチャネルを復調するために使用されるコントロールチャネルメッセージなどのチャネル品質表示を含んでいてもよい。種々の他のメッセージタイプが当技術分野で公知であり、サポートされている種々の通信標準において特定され得る。メッセージは、後続の処理に使用するためにプロセッサ３５０に送られる。別々のブロックが説明を明確にするために示されているが、メッセージ復号器３３０の機能の一部または全部がプロセッサ３５０で実行されてもよい。あるいはまた、復調器３２５は一定の情報を復号して、それをプロセッサ３５０に直接送信してもよい（ＡＣＫ／ＮＡＫや電力コントロールアップ／ダウンコマンドなどの単独のビットメッセージが例である）。例示的コマンド信号であるフォワード共通肯定応答チャネル（Ｆｏｒｗａｒｄ  Ｃｏｍｍｏｎ  Ａｃｋｎｏｗｌｅｄｇｅｍｅｎｔ  Ｃｈａｎｎｅｌ）（Ｆ−ＣＡＣＫＣＨ）を使用して、種々の実施形態を以下に説明する。
【００５０】
チャネル品質推定器３３５は受信機３２０に接続されており、本明細書に説明されている手順での使用、ならびに復調などの通信で使用される種々の他の処理での使用のために種々の電力レベル推定をするために使用される。移動局１０６においてＣ／Ｉ測定がなされてもよい。さらに、システムで使用される任意の信号またはチャネルの測定が、所与の実施形態のチャネル品質推定器３３５において測定されてもよい。以下により完全に説明されるように、電力コントロールチャネルはもう１つの例である。基地局１０４または移動局１０６において、受信パイロット電力などの信号強度推定を行うことが可能である。チャネル品質推定器３３５は、説明を明確にするためにのみ、別個のブロックとして示されている。このようなブロックが、受信機３２０や復調器３２５などの別のブロック内に組み込まれることは一般的である。種々のタイプの信号強度推定が、どの信号またはどのシステムタイプが推定されているのかに応じてなされることが可能である。一般的に、任意のタイプのチャネル品質測定基準の推定ブロックが、本発明の範囲内においてチャネル品質推定器３３５に代わって配備可能である。基地局１０４において、以下にさらに説明されるように、チャネル品質推定は、スケジューリング、あるいはリバースリンク品質の判断に使用するためにプロセッサ３５０に送られる。チャネル品質推定を使用して、アップまたはダウン電力コントロールコマンドのいずれが、フォワードリンク電力またはリバースリンク電力を所望のセットポイントに駆動するのに必要であるかを判断し得る。所望のセットポイントは上記のとおり、外部ループ電力コントロール機構で判断されてもよい。
【００５１】
信号はアンテナ３１０を介して送信される。送信された信号は、上述されたような１つ以上の無線システム標準に従って送信機３７０でフォーマットされる。送信機３７０に含まれていてもよいコンポーネントの例として、増幅器、フィルタ、デジタル／アナログ（Ｄ／Ａ）コンバータ、無線周波数（ＲＦ）コンバータなどがある。送信用データは変調器３６５によって送信機３７０に提供される。データチャネルおよびコントロールチャネルを様々なフォーマットに従って送信用にフォーマット可能である。フォワードリンクデータチャネルでの送信用データは、Ｃ／Ｉや他のチャネル品質測定に従ったスケジューリングアルゴリズムによって示されるレートおよび変調フォーマットに従って変調器３６５でフォーマットされてもよい。上記のスケジューラ２４０などのスケジューラはプロセッサ３５０に常駐してもよい。同様に、送信機３７０は、スケジューリングアルゴリズムに従った電力レベルで送信するように指示されてもよい。変調器３６５に組み込まれてもよいコンポーネントの例としては、符号器、インタリーバ、拡散器、および種々のタイプの変調器がある。ＣＤＭおよびＴＤＭ符号器を以下に種々の実施形態において説明する。１ｘＥＶ−ＤＶシステムでの展開に適した、例示的変調フォーマットおよびアクセスコントロールを含むリバースリンク設計についても以下に説明する。
【００５２】
メッセージ生成器３６０を使用して、本明細書に説明されているように種々のタイプのメッセージを用意し得る。例えば、Ｃ／Ｉメッセージがリバースリンクでの送信用に移動局で生成されてもよい。種々のタイプのコントロールメッセージが、フォワードリンクまたはリバースリンクでの送信用にそれぞれ基地局１０４または移動局１０６のいずれかで生成され得る。例えば、以下に説明されるのは、移動局または基地局でそれぞれ生成されるべき、リバースリンクデータ送信をスケジューリングするリクエストメッセージおよび認証メッセージである。
【００５３】
復調器３２５で受信および復調されたデータは、音声またはデータ通信で使用するためにプロセッサ３５０ならびに種々の他のコンポーネントに送られてもよい。同様に、送信用データはプロセッサ３５０から変調器３６５および送信機３７０に向けられてもよい。例えば、種々のデータアプリケーションがプロセッサ３５０、または無線通信デバイス１０４または１０６に含まれている別のプロセッサ（図示せず）に存在していてもよい。基地局１０４は図示されない他の機器を介して、インターネット（図示せず）などの１つ以上の外部ネットワークに接続され得る。移動局１０６は、ラップトップコンピュータ（図示せず）などの外部デバイスへのリンクを含んでいてもよい。
【００５４】
プロセッサ３５０は、汎用マイクロプロセッサ、ＤＳＰ（デジタル信号プロセッサ）、あるいは特定用途向けプロセッサであってもよい。プロセッサ３５０は、受信機３２０、復調器３２５、メッセージ復号器３３０、チャネル品質推定器３３５、メッセージ生成器３６０、変調器３６５、または送信機３７０の機能の一部または全部と、無線通信デバイスが必要とする任意の他の処理を実行し得る。プロセッサ３５０は特定用途向けハードウェアと接続されて、これらのタスク（詳細は示さず）を支援してもよい。データまたは音声アプリケーションは、外部接続されたラップトップコンピュータやネットワークへの接続などの外部のものであってもよく、無線通信デバイス１０４または１０６内の更なるプロセッサ（図示せず）上で稼動してもよく、あるいはプロセッサ３５０自体で稼動してもよい。プロセッサ３５０はメモリ３５５と接続されており、これはデータならびに、本明細書に説明されている種々の手順および方法を実行するための命令を記憶するために使用可能である。当業者は、メモリ３５５が種々のタイプの１つ以上のメモリコンポーネントで構成されてもよく、これは全体的にまたは部分的にプロセッサ３５０内に組み込まれ得ることを理解するであろう。
【００５５】
１ｘＥＶ−ＤＶリバースリンク設計の考察 
本セクションでは、無線通信システムのリバースリンクの例示的実施形態の設計において考慮される種々の要因について説明する。以下のセクションでさらに詳述される実施形態の多くにおいて、１ｘＥＶ−ＤＶ標準と関連した信号、パラメータおよび手順が使用されている。この標準は、本明細書に説明されている複数の態様の各々のように例示目的のためにのみ説明され、その組み合わせは本発明の範囲内の多数の通信システムに適用され得る。本セクションは、網羅的ではないが、本発明の種々の態様の部分的概要となる。例示的実施形態は以下の後続のセクションでさらに詳述され、ここでは更なる態様を説明する。
【００５６】
多くの場合、リバースリンク容量は干渉制限されている（ｉｎｔｅｒｆｅｒｅｎｃｅ  ｌｉｍｉｔｅｄ）。基地局は、種々の移動局のサービス品質（ＱｏＳ）の要件に従ってスループットを最大化すべく効率的な利用のために、使用可能なリバースリンク通信リソースを移動局に割り当てる。
【００５７】
リバースリンク通信リソースの使用の最大化は複数の要因に関連している。考慮すべき要因の１つは、種々の移動局からのスケジュールされたリバースリンク送信の混合であるが、その各々が任意の所与の時間に様々なチャネル品質を経験していることがあり得る。全体的なスループット（セル中の全移動局によって送信された総計のデータ）を増大させるために、送信されるべきリバースリンクデータがある場合は常に、リバースリンク全体が完全に利用されることが望ましい。使用可能な容量を満たすために、移動局は、それらがサポート可能な最高レートでのアクセスを認証されてもよく、また、容量に達するまで更なる移動局にアクセスが認証されてもよい。基地局が、いずれの移動局をスケジュールするかを判断する際に考慮し得る一要因は、各移動局がサポート可能な最大レートと、各移動局が送信のために有するデータ量である。より高いスループットが可能な移動局が、当該高いスループットをサポートしないチャネルを有する別の移動局の代わりに選択されてもよい。
【００５８】
考慮すべき別の要因は、各移動局が必要とするサービスの質である。チャネルが改善することを期待してある移動局へのアクセスを遅延させ、より良い状況にある移動局を選ぶことを選択することは許容可能である一方で、最低限のサービスの質の保証を満たすために次善の移動局にアクセスが認証される必要があるということもある。従って、スケジュールされたデータスループットは絶対最大値ではなく、むしろチャネル条件、使用可能な移動局送信電力およびサービス要件を考慮して最大化され得る。いずれの構成も、選択された構成（ｍｉｘ）について信号対雑音比を低下させることが望ましい。
【００５９】
移動局にリバースリンク上でデータを送信することを可能にするための種々のスケジューリング機構を以下に説明する。リバースリンク送信の１つのクラスは、リバースリンクでの送信をリクエストする移動局に関連している。基地局は、リソースが当該リクエストを受け入れ可能であるか否かの判断をする。送信を許容する認証がなされることが可能である。移動局と基地局間のハンドシェイクは、リバースリンクデータが送信可能になる前に遅延を導入する。リバースリンクデータの特定のクラスについては、遅延は受容可能であろう。他のクラスはより遅延に敏感であり得、遅延を緩和するための別のリバースリンク送信の技術を以下に説明する。
【００６０】
さらに、送信をリクエストするためにリバースリンクソースが拡張され、当該リクエストに応答する、すなわち認証を送信するためにフォワードリンクリソースが拡張される。移動局のチャネル品質が低い場合、すなわち幾何が低く、フェージングが深い場合、移動局に到達するためにフォワードリンクに必要な電力は比較的高いかもしれない。リバースリンクデータ送信に必要なリクエストおよび認証の数や必要な送信電力を削減するための種々の技術を以下に説明する。
【００６１】
リクエスト／認証ハンドシェイクによって導入される遅延を回避し、かつそれらをサポートするのに必要なフォワードリンクリソースおよびリバースリンクリソースを保存するために、自発（ａｕｔｏｎｏｍｏｕｓ）リバースリンク送信モードがサポートされる。移動局は、リクエストしたり認証を待機したりすることなく、リバースリンクにおいて制限されたレートでデータを送信し得る。
【００６２】
基地局はリバースリンク容量の一部を１つ以上の移動局に割り当てる。アクセスを認証された移動局は最大電力レベルを与えられる。本明細書に説明されている例示的実施形態において、リバースリンクリソースが、トラヒック／パイロット（Ｔ／Ｐ）比を使用して割り当てられる。各移動局のパイロット信号は電力コントロールを介して適合的にコントロールされるので、Ｔ／Ｐ比の特定は、リバースリンクでデータを送信する際に使用される使用可能な電力を示している。基地局は、各移動局に固有のＴ／Ｐ値を示す特定の認証を１つ以上の移動局に対してなすことができる。基地局はまた、アクセスをリクエストした残りの移動局に、これら残りの移動局に送信のために許可される最大Ｔ／Ｐ値を示す共通の認証を与えてもよい。自発的かつスケジュールされた送信ならびに個別および共通の認証について以下にさらに詳述する。
【００６３】
種々のスケジューリングアルゴリズムが当技術分野において公知であり、より多くがさらに展開されるであろうし、これを使用して、登録済みの移動局の数、移動局による自発送信（ａｕｔｏｎｏｍｏｕｓ  ｔｒａｎｓｍｉｓｓｉｏｎ）の可能性、未処理の（ｏｕｔｓｔａｎｄｉｎｇ）リクエストの数およびサイズ、認証に対する予想される平均応答、および多数の他の要因に従って、認証に対する種々の特定および共通のＴ／Ｐ値を判断することができる。一例において、一組のリクエストしている移動局からの達成可能なスループット、効率、およびＱｏＳの優先度に基づいて選択がなされる。１つの例示的なスケジューリング技術が、代理人整理番号ＰＡ０３０１５９を有する、本発明の譲渡人に譲渡されており、参照して本明細書に組み込まれる、２００３年１月１３日に出願された「時間拡張可能な優先度ベースのスケジューラのためのシステムおよび方法（ＳＹＳＴＥＭ  ＡＮＤ  ＭＥＴＨＯＤ  ＦＯＲ  Ａ  ＴＩＭＥ−ＳＣＡＬＡＢＬＥ  ＰＲＩＯＲＩＴＹ−ＢＡＳＥＤ  ＳＣＨＥＤＵＬＥＲ）」と題された同時係属の米国仮特許出願第６０／４３９，９８９号に開示されている。追加参照は、共に本発明の譲渡人に譲渡されており、参照して本明細書に組み込まれる、「リバースリンクレートスケジューリングのための方法および装置（ＭＥＴＨＯＤ  ＡＮＤ  ＡＰＰＡＲＡＴＵＳ  ＦＯＲ  ＲＥＶＥＲＳＥ  ＬＩＮＫ  ＲＡＴＥ  ＳＣＨＥＤＵＬＩＮＧ）」と題された米国特許第５，９１４，９５０号、およびこちらも「リバースリンクレートスケジューリングのための方法および装置（ＭＥＴＨＯＤ  ＡＮＤ  ＡＰＰＡＲＡＴＵＳ  ＦＯＲ  ＲＥＶＥＲＳＥ  ＬＩＮＫ  ＲＡＴＥ  ＳＣＨＥＤＵＬＩＮＧ）」と題された米国特許第５，９２３，６５０号を含んでいる。
【００６４】
移動局は１つ以上のサブパケットを使用してデータのパケットを送信し得るが、ここで各サブパケットは完全なパケット情報を含んでいる（種々の符号化や冗長性は種々のサブパケットの全体に渡って展開され得るので、各サブパケットは必ずしも等しく符号化されているわけではない）。再送信技術を展開して、確実な送信、例えばＡＲＱを保証し得る。従って、第１のサブパケットが（例えばＣＲＣを使用して）エラーなく受信されると、肯定応答（ＡＣＫ）が移動局に送信されて、更なるサブパケットは送出されないであろう（各サブパケットはどのようなかたちにせよ、パケット情報全体を含むことを想起されたい）。第１のサブパケットが正しく受信されない場合、否定応答信号（ＮＡＫ）が移動局に送信されて、第２のサブパケットが送信されるであろう。基地局は２つのサブパケットのエネルギーを結合して、復号を試みることができる。このプロセスは、ブパケットの最大数を特定することが一般的であるが、無制限に反復されてもよい。本明細書に説明されている例示的実施形態においては、最大４個のサブパケットが送信され得る。従って、更なるサブパケットが受信されるほど、正確な受信の可能性は高まる（基地局からの第３の応答、ＡＣＫ−ａｎｄ−Ｃｏｎｔｉｎｕｅはリクエスト／認証オーバーヘッドを軽減するのに有用なことに注意されたい。このオプションについて以下にさらに詳述する）。
【００６５】
説明したばかりであるように、移動局は、短い待ち時間でデータを送信するために自発転送を使用するか否かを判断する際に、またはより高いレートの転送をリクエストし、共通または特定の認証を待機する際に、スループットを待ち時間とトレードオフしてもよい。さらに、所与のＴ／Ｐについて、移動局はデータレートを待ち時間やスループットに適合させるべく選択し得る。例えば、送信のためのビットが比較的少ない移動局は短い待ち時間が望ましいと判断することがある。使用可能なＴ／Ｐについて（おそらく本例においては自発送信の最大限度であろうが、特定または共通の認証Ｔ／Ｐでもありうる）、移動局は、基地局が正しく第１のサブパケットを受信する可能性が高くなるようにレートおよび変調フォーマットを選択し得る。必要ならば再送信は可能であろうが、おそらくこの移動局は１つのサブパケットでそのデータビットを送信可能であろう。本明細書に説明されている例示的実施形態において、各サブパケットは５ｍｓで送信される。従って、本例において、移動局は、５ｍｓの後に基地局で受信されるであろう迅速な自発転送をなし得る。あるいはまた、移動局は更なるサブパケットが使用できることを利用して、所与のＴ／Ｐについて送信されるデータ量を増加させることができることに注目されたい。従って、移動局は自動転送を選択して、リクエストおよび認証と関連した待ち時間を短縮してもよく、またさらにスループットを特定のＴ／Ｐとトレードして必要なサブパケットの数（従って待ち時間）を最小化してもよい。全サブパケット数が選択されたとしても、自発転送は、比較的小さなデータ転送のリクエストおよび認証よりも短い待ち時間であろう。送信されるべきデータ量が増大して、送信に複数のパケットが必要となると、リクエストおよび認証の不利益（ｐｅｎａｌｔｙ）は、複数のパケットにわたるより高いデータレートのスループットの増大によって最終的にオフセットされるであろうために、全体の待ち時間はリクエストおよび認証フォーマットに切り替えることによって短縮され得ることを当業者は認識するであろう。このプロセスを、種々のＴ／Ｐ割り当てと関連づけられることができる送信レートおよびフォーマットの例示的セットを用いて、以下にさらに詳述する。
【００６６】
セル内でのロケーションが変化し、様々なスピードで移動する移動局は様々なチャネル条件を経験することになる。電力コントロールを使用してリバースリンク信号を維持する。基地局で受信されるパイロット電力は、種々の移動局からほぼ等しくなるように電力コントロールされてもよい。従って、上記のとおり、Ｔ／Ｐ比は、リバースリンク送信の間に使用される通信リソース量のインジケータである。所与の移動局送信電力についてのパイロットおよびトラヒックと、送信レートと、変調フォーマットとの間の適切なバランスを維持することが望ましい。
【００６７】
リバースリンクデータ送信 
リバースリンクは一般的にフォワードリンクとはかなり異なっている。以下はいくつかの理由である。フォワードリンクでは、複数のセルから送信するのに更なる電力を要するのに対して、リバースリンクでは、より多くのセルから受信することは必要な送信電力の量を軽減する。リバースリンクでは常に移動局を受信する複数のアンテナがある。これは、フォワードリンクでしばしば生じるような劇的なフェージングの一部を緩和することが可能である。
【００６８】
移動局が複数のセル間の境界エリアにある場合、フォワードリンクのＥｃ／Ｉｏは、他のセルのフェージングによって動的に変化するであろう。リバースリンクでは、いかなる変化も、そのすべてが電力コントロールされている、リバースリンクで送信中の全移動局の受信電力の総量における変化によるものであるために、干渉の変化は劇的ではない。
【００６９】
移動局はリバースリンクでは電力制限されている（ｐｏｗｅｒ  ｌｉｍｉｔｅｄ）。従って、移動局は、チャネル条件に応じて、その時々で非常に高いレートで送信することが不可能なことがある。
【００７０】
移動局は、移動局のリバースリンク送信を受信した基地局からのフォワードリンクを受信することができないことがある。結果として、移動局が単独の基地局からのシグナリングの送信、例えば肯定応答に依存している場合、そのシグナリングの確実性は低いこともある。
【００７１】
リバースリンク設計の一目的は、送信すべきリバースリンクデータがある限り、基地局のライズ・オーバー・サーマル（Ｒｉｓｅ−ｏｖｅｒ−Ｔｈｅｒｍａｌ）（ＲｏＴ）を比較的一定に維持することである。リバースリンクデータチャネルでの送信は２つの異なるモードで取り扱われる。
【００７２】
自発送信：このケースは、少ない遅延を要求するトラヒックに使用される。移動局は、供給基地局（つまり、移動局がそのチャネル品質インジケータ（ＣＱＩ）を向ける基地局）によって判断される、一定送信レートまでで直ちに送信することが可能とされる。供給基地局はまたスケジューリング基地局や認証基地局とも称される。自発送信の最大許容送信レートは、システム負荷や輻輳などに動的に基づいて、供給基地局によって示唆可能である。
【００７３】
スケジュールド送信：移動局はそのバッファサイズの推定、使用可能な電力および他のパラメータを送信する。基地局は、移動局にいつ送信が許容されるかを判断する。スケジューラの目的は、同時送信の数を制限して、移動局間の干渉を削減することである。スケジューラは、セル間の領域にある移動局により低いレートで送信させて、隣接セルへの干渉を削減し、ＲｏＴを厳しくコントロールしてＲ−ＦＣＨの音声品質、Ｒ−ＣＱＩＣＨのＤＶフィードバックおよび肯定応答（Ｒ−ＡＣＫＣＨ）、ならびにシステムの安定性を保護することを試み得る。
【００７４】
本明細書に詳述されている種々の実施形態は、無線通信システムのリバースリンクのスループット、容量および全体的なシステム性能を改良するために設計されている１つ以上の特徴を含んでいる。例示目的のためにのみ、１ｘＥＶ−ＤＶシステムのデータ部分、特に、強化リバース補助チャネル（Ｅｎｈａｎｃｅｄ  Ｒｅｖｅｒｓｅ  Ｓｕｐｐｌｅｍｅｎｔａｌ  Ｃｈａｎｎｅｌ）（Ｒ−ＥＳＣＨ）での種々の移動局による送信の最適化について説明する。例示的実施形態のうちの１つ以上で使用されている種々のフォワードリンクチャネルおよびリバースリンクチャネルについて本セクションで詳述する。これらのチャネルは一般的に、通信システムで使用されているチャネルのサブセットである。
【００７５】
図４は、リバースリンクデータ通信用のデータおよびコントロール信号の例示的実施形態を示している。種々のチャネルで通信する移動局１０６が示されており、各チャネルは１つ以上の基地局１０４Ａ−１０４Ｃに接続されている。基地局１０４Ａはスケジューリング基地局と称されている。他の基地局１０４Ｂおよび１０４Ｃは移動局１０６のアクティブセットの一部である。４タイプのリバースリンク信号と２タイプのフォワードリンク信号が示されている。これらを以下に詳述する。
【００７６】
Ｒ−ＲＥＱＣＨ  
リバースリクエストチャネル（Ｒｅｖｅｒｓｅ  Ｒｅｑｕｅｓｔ  Ｃｈａｎｎｅｌ）（Ｒ−ＲＥＱＣＨ）は、スケジューリング基地局からデータのリバースリンク送信をリクエストするために移動局によって使用される。例示的実施形態において、リクエストは（以下にさらに詳述される）Ｒ−ＥＳＣＨでの送信に対するものである。例示的実施形態において、Ｒ−ＲＥＱＣＨでのリクエストは、移動局がサポート可能なＴ／Ｐ比と、変化するチャネル条件に従った変数と、バッファサイズ（つまり送信を待機するデータの量）とを含んでいる。リクエストはまた、送信を待機するデータのサービスの質（ＱｏＳ）を特定し得る。移動局は当該移動局に指定された単独のＱｏＳレベル、あるいは異なるタイプのデータについての異なるＱｏＳレベルを有していてもよいことに注目されたい。より高い層のプロトコルが種々のデータサービスについてのＱｏＳや、（待ち時間やスループット要件などの）他の所望のパラメータを示すことがある。別の実施形態においては、（例えば音声サービスについて使用されている）リバース基本チャネル（Ｒｅｖｅｒｓｅ  Ｆｕｎｄａｍｅｎｔａｌ  Ｃｈａｎｎｅｌ）（Ｒ−ＦＣＨ）などの他のリバースリンク信号と関連して使用されるリバース専用コントロールチャネル（Ｒｅｖｅｒｓｅ  Ｄｅｄｉｃａｔｅｄ  Ｃｏｎｔｒｏｌ  Ｃｈａｎｎｅｌ）（Ｒ−ＤＣＣＨ）を使用して、アクセスリクエストを搬送してもよい。一般的に、アクセスリクエストは、論理チャネル、つまりリバーススケジュールリクエストチャネル（Ｒ−ＳＲＣＨ）を備えるものとして説明され得るが、これはＲ−ＤＣＣＨなどの任意の既存の物理チャネル上にマッピングされてもよい。例示的実施形態は、ｃｄｍａ２０００などの既存のｃｄｍａ２０００システムとは下位互換性があり、Ｒ−ＲＥＱＣＨは、Ｒ−ＦＣＨかＲ−ＤＣＣＨのいずれかを欠くときに展開可能な物理チャネルである。アクセスリクエストチャネルが論理的であっても物理的であっても、当業者は任意のタイプのアクセスリクエストシステムに原理を容易に拡張するであろうが、明確にするために、用語Ｒ−ＲＥＱＣＨは、本明細書の実施形態の説明におけるアクセスリクエストチャネルについて説明するために使用される。Ｒ−ＲＥＱＣＨは、リクエストが必要とされるまでゲートオフされてもよく（ｇａｔｅｄ  ｏｆｆ）、このようにして干渉を削減し、システム容量を保存する。
【００７７】
例示的実施形態において、Ｒ−ＲＥＱＣＨは以下のものから成る１２個の入力ビットを有している：移動局がサポート可能な最大Ｒ−ＥＳＣＨ  Ｔ／Ｐ比を特定するための４ビットと、移動局のバッファのデータ量を特定するための４ビットと、ＱｏＳを特定するための４ビット。当業者は、任意の数のビットおよび種々の他の分野は別の実施形態に含まれてもよいことを認識するであろう。
【００７８】
Ｆ−ＧＣＨ  
フォワード認証チャネル（Ｆｏｒｗａｒｄ  Ｇｒａｎｔ  Ｃｈａｎｎｅｌ）（Ｆ−ＧＣＨ）はスケジューリング基地局から移動局に送信される。Ｆ−ＧＣＨは複数のチャネルから成っていてもよい。例示的実施形態において、共通Ｆ−ＧＣＨチャネルが共通認証をするために展開されて、１つ以上の個別のＦ−ＧＣＨチャネルが個別認証をするために展開される。認証は、１つ以上の移動局からのそれぞれのＲ−ＲＥＱＣＨ上の１つ以上のリクエストに応答してスケジューリング基地局によってなされる。認証チャネルはＧＣＨｘと称されてもよく、ここで下付き文字ｘはチャネル番号を識別する。チャネル番号０を使用して共通認証チャネルを示してもよい。Ｎ個の個別のチャネルが展開される場合、下付き文字ｘは１からＮに及ぶ。
【００７９】
個別認証は１つ以上の移動局に対してなされてもよく、この各々は、識別された移動局に特定のＴ／Ｐ比以下でＲ−ＥＳＣＨでの送信を許可する。フォワードリンクで認証することは当然、フォワードリンク容量の一部を使用するオーバーヘッドを導入するであろう。認証と関連したオーバーヘッドを緩和するための種々のオプションを本明細書に詳述し、他のオプションは、本明細書の教示に照らせば当業者には明らかであろう。
【００８０】
移動局は、各々が様々なチャネル品質を経験するような状態にあるだろうという点が１つの考慮点である。従って、例えば、良好なフォワードリンクチャネルおよびリバースリンクチャネルを有する幾何が高い（ｈｉｇｈ  ｇｅｏｍｅｔｒｙ）移動局は、認証信号について比較的低い電力を必要とするかもしれず、また、おそらく高データレートを利用することができ、それゆえ個別認証については望ましい。幾何が低い（ｌｏｗ  ｇｅｏｍｅｔｒｙ）移動局、すなわちより深いフェージングを経験している移動局は個別認証を確実に受信するためにきわめて多くの電力を必要とし得る。このような移動局は個別認証に対する最良候補ではないこともある。以下に詳述されるこの移動局に対する共通認証はフォワードリンクのオーバーヘッドにおいてコストがより少ないことがある。
【００８１】
例示的実施形態において、多数の個別のＦ−ＧＣＨチャネルが、対応する数の個別認証を提供するために特定の時に展開される。Ｆ−ＧＣＨチャネルは符号分割多重化される。これによって、特定の意図された移動局だけに到達するのに必要な電力レベルで各認証を送信する能力が促進される。別の実施形態においては、単独の個別認証チャネルは、時分割多重化された多くの個別認証と共に展開されてもよい。時分割多重化された個別のＦ―ＧＣＨ上の各認証の電力を変更することは、更なる複雑さをもたらすことがある。共通または個別の認証を送るためのシグナリング技術は本発明の範囲内で展開され得る。
【００８２】
いくつかの実施形態においては、比較的多数の個別認証チャネル（つまりＦ−ＧＣＨ）が展開されており、これは、一度に比較的多数の個別認証を許容するために展開され得る。このような場合、各移動局が監視しなければならない個別認証チャネル数を制限することが望ましい。一つの例示的実施形態においては、個別認証チャネル総数の種々のサブセットが定義される。各移動局は監視すべき個別認証チャネルのサブセットを割り当てられる。これによって移動局は処理の複雑さを軽減することができ、それに応じて電力消費を削減することができる。スケジューリング基地局は個別認証のセットを任意に割り当てることができないことがあるために、スケジューリングの柔軟性がトレードオフされる（例えば、全個別認証が単独のグループのメンバーになされることは不可能である、というのは、それらのメンバーは設計によって１つ以上の個別認証チャネルを監視しないからである）。この柔軟性の損失は必ずしも容量の損失をもたらすものではないことに注目されたい。例として、４個の個別認証チャネルを含む例について考える。偶数番号の移動局は最初の２つの認証チャネルを監視するために割り当てられ、奇数番号の移動局は最後の２つを監視するために割り当てられてもよい。別の例においては、最初の３個の認証チャネルを監視する偶数番号の移動局や、最後の３個の認証チャネルを監視する奇数番号の移動局などのサブセットが重複していてもよい。スケジューリング基地局が任意の１グループ（偶数または奇数）から４個の移動局を任意に割り当てることができないことは明らかである。これらの例は例示にすぎない。任意の構成のサブセットを有する任意の数のチャネルが本発明の範囲内で展開され得る。
【００８３】
リクエストをしたが、個別認証を受信していない残りの移動局は、共通認証を使用してＲ−ＥＳＣＨでの送信が許可され得るが、これは、残りの移動局の各々が従わなければならない最大Ｔ／Ｐ比を特定する。共通Ｆ−ＧＣＨはまたフォワード共通認証チャネル（Ｆｏｒｗａｒｄ  Ｃｏｍｍｏｎ  Ｇｒａｎｔ  Ｃｈａｎｎｅｌ）（Ｆ−ＣＧＣＨ）とも称されることがある。移動局は、１つ以上の個別認証チャネル（またはそのサブセット）ならびに共通Ｆ−ＧＣＨを監視する。個別認証が付与されない場合は、共通認証が出されれば移動局は送信可能し得る。共通認証は、残りの移動局（共通認証の移動局）が特定のタイプのＱｏＳを有するデータについて送信し得る最大Ｔ／Ｐ比を示す。
【００８４】
例示的実施形態において、各共通認証は多数のサブパケット送信間隔について有効である。一旦共通認証を受信すると、リクエストを送信したが個別認証を得ていない移動局は、後続の送信間隔内で１つ以上の符号化パケット（ｅｎｃｏｄｅｒ  ｐａｃｋｅｔ）の送信を開始し得る。認証情報は複数回反復されることが可能である。これによって、共通認証を個別認証に比べて低い電力レベルで送信することができる。各移動局は複数の送信からのエネルギーを結合して、共通認証を確実に復号し得る。従って、共通認証は、例えば幾何が低い移動局に対して選択されてもよく、この場合個別認証はフォワードリンクの容量の点であまりにコストがかかるように思われる。しかしながら、共通認証は依然としてオーバーヘッドを必要としており、このオーバーヘッドを軽減するための種々の技術について以下に詳述する。
【００８５】
Ｒ−ＰＩＣＨ 
リバースパイロットチャネル（Ｒ−ＰＩＣＨ）が移動局からアクティブセット中の基地局に送信される。Ｒ−ＰＩＣＨの電力は、リバースリンク電力コントロールでの使用のために１つ以上の基地局で測定されてもよい。当技術分野において公知であるように、パイロット信号を使用して、コヒーレント復調での使用のための振幅および位相測定を提供してもよい。上記のとおり、（スケジューリング基地局、または移動局の電力増幅器の固有の制約のいずれによって制限されていても）移動局が使用可能な送信電力量は、パイロットチャネル、１つまたは複数のトラヒックチャネル、およびコントロールチャネル間で分けられる。
【００８６】
上記のとおり、更なるパイロット電力がより高いデータデートおよび変調フォーマットに必要とされることがある。電力コントロールについてのＲ−ＰＩＣＨの使用を簡略化し、必要なパイロット電力の瞬間的な変化に関連した問題の一部を回避するために、更なるチャネルが補助または二次パイロットとしての使用に割り当てられてもよい。一般的にパイロット信号は本明細書に開示されているような公知のデータ系列を使用して送信されるが、情報を有する信号もまた復調のための参照情報を生成する際に使用するために展開されてもよい。例示的実施形態においては、（以下に詳述される）Ｒ−ＲＩＣＨを使用して所望の更なるパイロット電力を搬送する。
【００８７】
Ｒ−ＲＩＣＨ  
リバースレートインジケータチャネル（Ｒ−ＲＩＣＨ）は、リバーストラヒックチャネルＲ−ＥＳＣＨでの送信フォーマットを示すために移動局によって使用される。Ｒ−ＲＩＣＨの５ビットのメッセージは値１または０の５ビットの組である。直交符号化ブロックは５ビットの入力系列それぞれを３２シンボルの直交系列にマッピングする。例えば、５ビットの入力系列のそれぞれが長さ３２の異なるウォルシュコードにマッピングされてもよい。系列反復（ｓｅｑｕｅｎｃｅ  ｒｅｐｅｔｉｔｉｏｎ）ブロックは３２個の入力シンボルの系列を３回反復する。ビット反復ブロックは、９６回反復された入力ビットをその出力で提供する。系列選択ブロックは２つの入力のうちで選択をし、その入力を出力に渡す。ゼロレートの場合、ビット反復ブロックの出力は通過される。他の全レートの場合、系列反復ブロックの出力が通過される。信号ポイントマッピングブロックは入力ビット０を＋１に、入力１を−１にマッピングする。信号ポイントマッピングブロックに続いて、ウォルシュ拡散ブロックがある。ウォルシュ拡散ブロックは各入力シンボルを６４チップに拡散する。各入力シンボルはウォルシュコードＷ（４８、６４）を乗じる。ウォルシュコードＷ（４８、６４）は長さ６４チップ、指数（ｉｎｄｅｘ）４８のウォルシュコードである。ＴＩＡ／ＥＩＡ  ＩＳ−２０００は種々の長さのウォルシュコードを記述する表を提供している。
【００８８】
当業者は、チャネル構造は例示に過ぎないという点を認識するであろう。種々の他の符号化、反復、インターリービング、信号ポイントマッピング、あるいはウォルシュ符号化パラメータは別の実施形態で展開可能である。当技術分野で公知であるなる符号化やフォーマット技術も展開されてもよい。これらの変更は本発明の範囲内にある。
【００８９】
Ｒ−ＥＳＣＨ 
強化リバース補助チャネル（Ｒ−ＥＳＣＨ）は、本明細書に説明されている例示的実施形態のリバースリンクトラヒックデータチャネルとして使用される。任意の数の送信レートおよび変調フォーマットがＲ−ＥＳＣＨについて展開され得る。例示的実施形態において、Ｒ−ＥＳＣＨは以下の特徴を有している。物理層の再送信がサポートされる。第１の符号がレート１／４の符号である場合の再送信について、再送信はレート１／４符号を使用し、また、チェイス合成（Ｃｈａｓｅ  ｃｏｍｂｉｎｉｎｇ）が使用される。第１の符号が１／４よりも大きいレートである場合の再送信については、インクリメンタルな冗長性（ｉｎｃｒｅｍｅｎｔａｌ  ｒｅｄｕｎｄａｎｃｙ）が使用される。基本的な（ｕｎｄｅｒｌｙｉｎｇ）符号はレート１／５の符合である。あるいは、インクリメンタルな冗長性はあらゆる場合について使用されてもよい。
【００９０】
ハイブリッド自動再送要求（ＨＡＲＱ）が自律的なユーザおよびスケジュールされたユーザの両方についてサポートされており、これら両者はＲ−ＥＳＣＨにアクセスし得る。
【００９１】
第１の符号がレート１／２の符号である場合、フレームはレート１／４の符号として符号化され、符号化されたシンボルは２つの部分に等しく分割される。シンボルの前半部分は第１の送信で送信されて、後半部分は第２の送信で送信され、前半部分が第３の送信で送信され、以下同様である。
【００９２】
並列の（ｍｕｌｔｉｐｌｅ）ＡＲＱチャネル同期動作は再送信間の固定されたタイミングでサポートされてもよい。同一パケットの連続する複数のサブパケット間の一定数のサブパケットが許容されてもよい。インタレース送信（ｉｎｔｅｒｌａｃｅｄ  ｔｒａｎｓｍｉｓｓｉｏｎ）もまた許容される。一例として、５ｍｓのフレームの場合、４個のチャネルＡＲＱが、サブパケット間の３個のサブパケット分の遅延でサポート可能であろう。
【００９３】
表１は強化リバース補助チャネルの例示的データレートを列挙している。５ｍｓのサブパケットサイズが説明されており、付随するチャネルはこの選択に適合するように設計されている。当業者には容易に明らかであるように、他のサブパケットサイズもまた選択され得る。パイロット参照レベルはこれらのチャネルに対して調整されない、すなわち基地局は、所与の動作ポイントを目的とするＴ／Ｐを選択するという柔軟性を有している。この最大Ｔ／Ｐ値はフォワード認証チャネルで示唆される（ｓｉｇｎａｌｅｄ）。移動局は、当該移動局が送信用の電力を使い尽くしつつある場合には、より低いＴ／Ｐを使用して、ＨＡＲＱに必要なＱｏＳを満たさせてもよい。層３のシグナリングメッセージはまたＲ−ＥＳＣＨで送信されて、システムがＦＣＨ／ＤＣＣＨなしで動作できるようにしてもよい。
【表１】
2011010308.tif 000003
【００９４】
例示的実施形態において、ターボ符号化が全レートについて使用される。Ｒ＝１／４符号化では、現在のｃｄｍａ２０００のリバースリンクに類似のインタリーバが使用され、第２のサブパケットが送信される場合、それは第１のサブパケットと同じフォーマットを有する。Ｒ＝１／５符号化では、ｃｄｍａ２０００のフォワードパケットデータチャネルに類似のインタリーバが使用され、第２のサブパケットが送信される場合、第２のサブパケットについて選択された、符号化およびインタリーブされたシンボルの系列が、第１のサブパケットについて選択されたものに従う。多くて２つのサブパケット送信が許容され、第２のサブパケットが送信される場合、それは第１のサブパケット送信と同じデータレートを使用する。
【００９５】
符号化パケットごとのビット数はＣＲＣビットと６個のテールビットとを含んでいる。１９２ビットの符号化パケットサイズについては１２ビットのＣＲＣが使用され、そうでない場合は１６ビットのＣＲＣが使用される。フレーム当たりの情報ビット数は、ｃｄｍａ２０００で対応するレートを用いるよりも２ビット多い。複数の５ｍｓのスロットは１５ｍｓごとに分離されて、ＡＣＫ／ＮＡＫ応答の時間を許容すると想定されている。ＡＣＫが受信されると、パケットの残りのスロットは送信されない。
【００９６】
上記の５ｍｓのサブパケット長（ｄｕｒａｔｉｏｎ）および関連するパラメータは例示にすぎない。レート、フォーマット、サブパケット反復オプション、サブパケット長などのいかなる組み合わせも、本明細書の教示に照らせば当業者には容易に明らかであろう。３個のＡＲＱチャネルを使用する別の１０ｍｓの実施形態が展開可能である。一実施形態においては、単独のサブパケット長またはフレームサイズが選択される。例えば、５ｍｓまたは１０ｍｓの構造のいずれかが選択される。以下にさらに詳述する別の実施形態において、システムは複数のフレーム長をサポートし得る。
【００９７】
Ｆ−ＣＡＣＫＣＨ
フォワード共通肯定応答チャネルすなわちＦ−ＣＡＣＫＣＨは、Ｒ−ＥＳＣＨの正確な受信に対して肯定応答し、かつ既存の認証を拡張するために基地局によって使用される。Ｆ−ＣＡＣＫＣＨでの肯定応答（ＡＣＫ）はサブパケットの正確な受信を示している。移動局による当該サブパケットの追加送信は不要である。Ｆ−ＣＡＣＫＣＨでの否定応答（ＮＡＫ）によって移動局は、パケット当たりの最大許容サブパケット数まで次のサブパケットを送信することができる。第３のコマンド、ＡＣＫ−ａｎｄ−Ｃｏｎｔｉｎｕｅによって基地局はパケットの受信成功を肯定応答することができ、同時に移動局は、当該パケットの受信成功をもたらした認証を使用して送信することができる。Ｆ−ＣＡＣＫＣＨの一実施形態は、ＡＣＫシンボルに対して＋１の値を、ＮＡＫシンボルに対してＮＵＬＬシンボルを、ＡＣＫ−ａｎｄ−Ｃｏｎｔｉｎｕｅシンボルに対して−１の値を使用する。以下にさらに詳述する種々の例示的実施形態において、最大９６個の移動ＩＤが１つのＦ−ＣＡＣＫＣＨでサポート可能である。さらなるＦ−ＣＡＣＫＣＨが、さらなる移動ＩＤをサポートするために展開されてもよい。
【００９８】
アダマール（Ｈａｄａｍａｒｄ）符号器は、１組の直交関数にマッピングする符号器の一例である。種々の他の技術もまた展開され得る。例えば、任意のウォルシュ符号または直交変数拡散係数（ＯＶＳＦ）符号生成を使用して符号化されてもよい。独立した利得ブロックが展開される場合、異なるユーザには異なる電力レベルで送信されてもよい。Ｆ−ＣＡＣＫＣＨはユーザごとに１つの専用３値フラグを搬送する。各ユーザは、そのアクティブセット中の全基地局からのＦ−ＡＣＫＣＨを監視する（あるいはまた、シグナリングは縮小されたアクティブセットを定義して複雑さを軽減してもよい）。
【００９９】
以下に詳述する種々の例において、２つのチャネルは各々１２８チップのウォルシュカバー系列（Ｗａｌｓｈ  ｃｏｖｅｒ  ｓｅｑｕｅｎｃｅ）でカバーされている。一方のチャネルはＩチャネルで送信され、他方はＱチャネルで送信される。Ｆ−ＣＡＣＫＣＨの別の実施形態は単独の１２８チップのウォルシュカバー系列を使用して、最大１９２個の移動局を同時にサポートする。このアプローチは３値フラグごとに１０ｍｓの期間を使用する。
【０１００】
ＡＣＫチャネルを動作させる複数の方法がある。一実施形態において、「１」がＡＣＫの代わりに送信されるように動作されてもよい。送信なしということはＮＡＫ、つまり「オフ」状態を意味している。「−１」の送信はＡＣＫおよびＣｏｎｔｉｎｕｅに言及している、すなわち同一の認証がＭＳに対して反復される。これは新たな認証チャネルのオーバーヘッドを減じる。
【０１０１】
再検討すると、ＭＳが、Ｒ−ＥＳＣＨの使用を必要とする、送信すべきパケットを有している場合、それはＲ−ＲＥＱＣＨでリクエストを送信する。基地局は、Ｆ−ＣＧＣＨまたはＦ−ＧＣＨを使用して、認証と共に応答し得る。しかしながら、この動作は幾分高価である。フォワードリンクのオーバーヘッドを軽減するために、Ｆ−ＣＡＣＫＣＨは「ＡＣＫ−ａｎｄ−Ｃｏｎｔｉｎｕｅ」フラグを送信することができ、これはスケジューリング基地局によって低コストで既存の認証を拡張する。この方法は個別認証および共通認証の両方に対して機能する。ＡＣＫ−ａｎｄ−Ｃｏｎｔｉｎｕｅは認証基地局から使用され、同一ＡＲＱチャネル上のもう１つの符号化パケットに対する現在の認証を拡張する。
【０１０２】
種々の実施形態を共通の肯定応答チャネル（Ｆ−ＣＡＣＫＣＨ）の送信に関連して本明細書に説明する。当業者は、本明細書に説明されている原理が任意の種類のコマンド系列や他のデータ系列に適用可能であることを認識するであろう。
【０１０３】
図５は、コマンドストリーム送信機の一部の従来技術の実施形態を示している。１つ以上の移動局に送るためのコマンドストリームは共有コマンドチャネルに結合されてもよい。本例においては、最大９６個の移動局に対するフォワードリンク肯定応答コマンドがマルチプレクサ（ｍｕｘ）５１０および５２０に送られて、４８個のコマンドストリームが各々に送られる。コマンドストリームは、上記のとおり、肯定応答（ＡＣＫ）と、否定応答（ＮＡＫ）と、肯定応答および継続（ＡＣＫ−ａｎｄ−Ｃｏｎｔｉｎｕｅ）とを含む肯定応答コマンドからなる。マルチプレクサ５１０および５２０は一度に１つずつコマンド系列を選択して、ＴＤＭ系列を形成し、一方は同相（ｉｎ−ｐｈａｓｅ）送信用であり、他方は直交送信用である。本例において、ＴＤＭ系列は５ミリ秒毎に４８個のシンボルを備える（９．６ｋｓｐｓ）。ＴＤＭ系列はチャネル利得ブロック５３０および５４０においてそれぞれ利得制御されている。利得制御ＴＤＭ系列は、乗算器５５０および５６０においてそれぞれ同相および直交カバー系列によってカバーされる。本例において、カバー系列は１２８ビットのウォルシュ系列Ｗｉ１２８である。乗算器５５０および５６０から生じる出力は、１．２２８８Ｍｃｐｓでの送信用のＩおよびＱのＦ−ＣＡＣＫＣＨ出力である。
【０１０４】
図５の出力は、適切にカバーされて、かつ１つ以上の移動局に送信される他のデータおよび／または制御信号と結合されてもよい。従って、ＴＤＭオンＣＤＭアプローチを用いて、複数のコマンドを共有ＣＤＭチャネルを使用する複数の移動局に送信する。このアプローチの１つの欠点は、所与のエラー確率に対して、ピークおよび平均電力要件の両方が、本明細書に開示されている本発明の実施形態について必要なものよりも高いことである。この技術は、許容されるエラー確率を高くして、容認可能なピーク電力要件ならびに平均電力消費を提供することによって、従来技術においてはうまく使用されてきた。このトレードオフは、一定の状況、例えば電力制御ループにおいては容認できることが判明するかもしれない。電力制御ループにおいて、単独ビットのアップ又はダウンコマンドが送信されるのは一般的である。電力制御ループはコマンドをコントロールして、受信電力が所望の電力設定値で到達するようにする。電力制御コマンドが誤って受信されると、電力制御ループはそのエラーを訂正する。しかしながら、上記の１ｘＥＶ−ＤＶシステムについて提案されたフォワードリンク共通肯定応答チャネル（Ｆ−ＣＡＣＫＣＨ）などの他の状況においては、指定された性能要件がＴＤＭオンＣＤＭアプローチを使用して達成不可能であることや、非常にコストがかかることがある。例えば、電力制御コマンドのエラーによって、送信される電力が当分の間わずかに高くなり、必要以上に多くの共有リソースを使用することになったり、あるいは当分の間非常に低くなり、誤り率の上昇を招いたりするのに対して、通常の電力制御スキームは、このような状況に対処し、送信電力を所望のレベルに迅速に回復して、過度のシステム性能の劣化を最小化するように、高速電力制御を考慮して設計されている。対照的に、誤った肯定応答（ＡＣＫ）コマンドがドロップされる（ｄｒｏｐｐｅｄ）パケットの原因となることがある。ＮＡＫによってしばしば更なるサブパケットが送信可能になり、先に送信されたサブパケットと結合されると潜在的に正確な受信となるのに対して、誤ったＡＣＫは、たいていはより高位の層のプロトコルによる干渉の後で、かつ重大な遅延と共に、ドロップされたパケットが完全に再送信されることを要することがある。誤ったＡＣＫ−ａｎｄ−Ｃｏｎｔｉｎｕｅは同様の問題を有している。パケットが既に正しく受信されていることを意味する誤ったＮＡＫは、更なるサブパケットが不必要に送信されるという結果を招く。これらのシナリオのすべてがシステムの性能を損ねることがある。従って、時には、ＨＡＲＱコマンドなどのコマンドがより低い誤り率で有利に送信される場合もある。これは、図５に示されている従来技術の装置が展開されれば、より高い平均送信電力および非常に高い（おそらく達成不可能な）ピーク電力に変換するであろう。
【０１０５】
図６は、複数の入力系列を受信し、符号分割多重化を使用してこれらを結合し、結合された信号を他のＣＤＭ信号と共に１つ以上の移動局に送信するためのＣＤＭオンＣＤＭ符号器の実施形態を示している。この実施形態は、一例として、９６個の移動局に対するＦ−ＣＡＣＫＣＨコマンドストリームと共に示されている。当業者は、任意の系列タイプ、コマンドあるいはデータが代わりに使用されてもよいことを認識するであろう。移動識別番号０から４７として識別される、第１の４８個のコマンドストリームが結合され、Ｉチャネルで送信される。移動識別番号４８から９６として識別される、第２の４８個のコマンドストリームが結合され、Ｑチャネルで送信される。第１の４８個のコマンドストリームは各々カバリング系列で符号化される。例示的実施形態において、コマンドストリームは、それぞれ長さ４８のアダマール系列符号器６１０Ａから６１０Ｎを使用して符号化される。各符号器で使用されているアダマール系列番号は移動識別番号に対応している。しかしながら、系列割り当ては任意であり、他の構成は当業者には容易に明らかであろう。アダマール符号器６１０Ａから６１０Ｎの出力は、チャネル利得ブロック６３０Ａから６３０Ｎにおいてそれぞれ個々に利得制御され得る。
【０１０６】
第２の４８個のコマンドストリームもまたカバリング系列で符号化される。本例において、これらは、符号器６１０Ａから６１０Ｎについて上述したのと同様の方法で、それぞれ長さ４８のアダマール符号器６２０Ａから６２０Ｎを使用してカバーされる。この場合も、系列割り当ては任意である、同様に、アダマール符号器６２０Ａから６１０Ｎの出力は、チャネル利得ブロック６４０Ａから６４０Ｎにおいてそれぞれ別個に利得制御され得る。
【０１０７】
チャネル利得ブロック６３０Ａから６３０Ｎと６４０Ａから６４０Ｎの出力は送られて、それぞれ加算器６５０および６６０で結合される。加算器６５０および６６０の出力はそれぞれＩおよびＱのＣＤＭ信号である。各々は、ＩアームおよびＱアームでの送信用に５ｍｓあたり４８シンボルを備える（９．６ｋｓｐｓ）。これらの信号は、それぞれ乗算器６７０および６８０で、Ｗｉ１２８によって総称的に識別されているＩおよびＱのカバリング系列を使用してカバーされて、１．２２８８ＭｃｐｓでのＩおよびＱのＦ−ＣＡＣＫＣＨ出力を生成する。これらの出力は、１つ以上の移動局への送信用に他のＣＤＭカバー信号（ＣＤＭ  ｃｏｖｅｒｅｄ  ｓｉｇｎａｌｓ）と結合されてもよい。この場合も、当業者は、図６に示されている実施形態は一例にすぎず、ＣＤＭを使用して系列を結合し、ＣＤＭ結合された系列を送信用にカバーするという原理はコントロール系列および／またはデータ系列に適用されてもよいことを認識するであろう。
【０１０８】
示されているようにＱＰＳＫを使用することは一例にすぎないことにさらに注意されたい。それは、２つの異なるＣＤＭオンＣＤＭ信号が、ＱＰＳＫが提供する直交性を使用して送信されることを可能にするという利点を有している。他の変調フォーマットもまたサポートされ得る。例えば、ＢＰＳＫを代替例として使用してもよい。
【０１０９】
図５に示されている従来技術とは対照的に、図６に示されているような実施形態を使用する利点の１つは、ピーク電力要件を所望の誤り率に対してずっと低くできるという点である。図６の実施形態は、図５に示されているようなアーキテクチャでは満たすことが不可能な所望の仕様を実行し得る場合もある。さらに、図６に示されている実施形態に必要な平均電力もまた一般的により少ない。
【０１１０】
図７Ａおよび図７Ｂは、ＣＤＭ信号についてＣＤＭおよびＴＤＭの技術を結合する実施形態を示している。図６に示されているようなＣＤＭオンＣＤＭ符号器は、直交性期間が長くなると、Ｆ−ＣＡＣＫＣＨ  ＣＤＭチャネルの他の移動局に向けられた入力系列からのクロストーク干渉の増大に悩まされる場合がある。例えば、マルチパスの影響によって、上記の例示的実施形態において与えられている５ｍｓフレームに直交性のいくらかの損失が存在することがある。図７Ａおよび図７Ｂに示されている実施形態は、入力系列の数、符号器の長さ、加算器およびマルチプレクサへの入力の数などに関して一般化されている。本明細書に開示されている他の実施形態は同様の方法で一般化され得るが、説明を明確にするために具体的な実施形態に関して説明する。当業者は多数の符号器構成に本明細書の教示を容易に適用するであろう。
【０１１１】
本例において、２つの信号が生成され、一方は同相チャネルでの送信用、他方は直交チャネルでの送信用である。各信号は複数のＣＤＭチャネルの時分割多重化から成る。結果として生じた信号はもう一度カバーされて、他のデータおよび／または制御信号と共にＣＤＭの様式での送信に適した信号を作成する。従って、基本的に、ＣＤＭオンＴＤＭオンＣＤＭ信号が生成される。
【０１１２】
共通のコマンド信号に結合されるＮ個の入力系列がある（当然、非コマンド系列もまた結合されて任意のタイプの共通信号を形成可能である）。各入力系列が単独の移動局に向けられている配置（ｄｅｐｌｏｙｍｅｎｔｓ）もある。このような複数の入力系列の一例はＡＣＫ／ＮＡＫ／ＡＣＫ−ａｎｄ−Ｃｏｎｔｉｎｕｅコマンドであり、各々は、上記のＦ−ＣＡＣＫＣＨを形成する一意の移動局について生成される。別の実施形態において、１つ以上の入力系列が単独の移動局に向けられてもよい。これらの一般性を示すために、各入力系列はサブチャネルＩＤ用のコマンドビットと名づけられ、ここでサブチャネルＩＤは０からＮ−１に及ぶ。（サブチャネルＩＤは特定の実施形態においては移動局ＩＤに対応していてもよい。）各ＴＤＭチャネルで結合されるＭ個のＣＤＭチャネルがある。各ＴＤＭチャネルにはＬ個のタイムスロットがある。従って、ＩおよびＱチャネルにわたってＮ個の入力系列を分割すると、チャネル位相ごとにＮ／２個の入力系列がある。従って、Ｍ、ＮおよびＬの関係はＭ＝Ｎ／（２＊Ｌ）として与えられる。
【０１１３】
従って、第１のＭ個の入力系列は符号器７１０Ａから７１０Ｍにおいて長さＭのアダマール系列でカバーされる。Ｍ個の異なるアダマール系列は入力系列に任意に割り当てられてもよい。本例において、系列はサブチャネルＩＤに一致している。Ｉチャネル（Ｍ（Ｌ−１）−（Ｎ／２）−１）に対して指定されている最後のＭ個の入力系列が符号器７２０Ａから７２０Ｍに送られるまで、Ｍ個の入力系列のグループがこのようにして割り当てられる。特定のアダマール系列の割り当ては、本例においてこれらはサブチャネルＩＤ  ｍｏｄ  Ｍとして割り当てられているが、任意である点に注目されたい。次のＮ／２個の入力系列は、示されているように、同様に符号化される。Ｍ個の系列Ｎ／２からＮ／２＋Ｍ−１は符号器７５０Ａから７５０Ｍに送られる。最後のＭ個の系列（Ｎ／２＋Ｍ（Ｌ−１）−Ｎ−１）が符号器７５５Ａから７５５Ｍに送られるまで割り当ては継続する。この場合も、アダマール系列割り当ては任意であるが、本例ではサブチャネルＩＤ  ｍｏｄ  Ｍである。
【０１１４】
アダマール符号器の出力の各々はチャネル利得ブロック７３０Ａ−７３０Ｍから７３５Ａ−７３５Ｍおよび７６０Ａ−７６０Ｍから７６５Ａ−７６５Ｍにおいてそれぞれ、チャネル利得によって修正され得る。位相（ＩおよびＱ）ごとに、ＩチャネルのためのＬ個の加算器７４０Ａから７４０Ｌと、Ｑチャネルのための７７０Ａから７７０Ｌがあり、この各々はそれぞれのＭ個のカバーされ入力系列を結合して２Ｌ個のＣＤＭ系列を形成する。加算器７４０Ａ−７４０ＬからのＬ個の同相ＣＤＭ系列は、Ｉチャネルに対するＣＤＭオンＴＤＭ信号を生成するために、マルチプレクサ７４５で時分割多重化される。同様に、加算器７７０Ａ−７７０ＬからのＬ個の直交ＣＤＭ系列が、Ｑチャネルに対するＣＤＭオンＴＤＭ信号を生成するためにマルチプレクサ７７５で時分割多重化される。そしてＣＤＭオンＴＤＭ信号はそれぞれ乗算器７８０および７８５において、ＩおよびＱの共通コマンド信号出力を生成するために、Ｗｉと示されている（同相および直交成分を含む）カバリング系列でカバーされる。従ってこれらのカバーされた信号は、他のデータおよび／または制御信号と共にＣＤＭの様式で結合および送信されるべく準備される。（この場合も、当業者は、ＱＰＳＫはオプションにすぎず、必須ではないことを理解するであろう。さらに、共通信号はコマンド信号以外の系列を備えていてもよい。また共有されるチャネルは１つ以上の移動局の組み合わせによって送信、受信および復号され得る。）従って、図７Ａおよび図７Ｂに示されている一般化された実施形態は、入力系列のＣＤＭオンＴＤＭオンＣＤＭ結合の使用を示している。この技術は、ＣＤＭの特徴によるピークおよび平均電力の低下ならびに、ユーザ数の潜在的増加とＴＤＭの特徴による直交性の損失の緩和を可能とする。
【０１１５】
当業者は、図７Ａおよび図７Ｂの実施形態は一般的であって、ＣＤＭチャネルのＭ、タイムスロットのＬ、および入力系列Ｎの数の多数の組み合わせによって展開されてもよいことを理解するであろう。別の実施形態は、図７Ａおよび図７Ｂに説明されている対称性を含んでいる必要はない。例えば、ＩおよびＱの信号は異なるパラメータを使用して構成されてもよい。さらに、マルチプレクサは、加算器出力を時分割多重化するように構成されてもよく、その各々が同一数のＣＤＭチャネルを結合しても結合しなくてもよい。上記のＦ−ＣＡＣＫＣＨのための２つの例示的実施形態をここに一例として示す。第１の実施形態において、最大９６個の移動局に向けられるＡＣＫ／ＮＡＫ／ＡＣＫ−Ｃｏｎｔｉｎｕｅコマンドを備える９６個の入力系列と、１．２２８８Ｍｃｐｓの１２８チップのウォルシュカバー系列とを結合するために、ＩチャネルおよびＱチャネルの双方でＭ＝４およびＬ＝１２を使用して、１／２４００秒の直交周期が生成される。第２の実施形態においては、第１の実施形態に説明されているのと同じ入力を処理して、同じ出力を生成するために、Ｍ＝１２およびＬ＝４を使用して１．２５ｍｓを超える直交周期が生成される。当業者は、本発明に従って任意の数の組み合わせを容易に考案するであろう。
【０１１６】
図８は、パターン反復（ｐａｔｔｅｒｎ  ｒｅｐｅｔｉｔｉｏｎ）を利用する実施形態を示している。この実施形態は図７Ａおよび図７Ｂについて詳述されているのと同様の方法で一般化され得るが、Ｆ−ＣＡＣＫＣＨをもう一度例示目的に使用する。この実施形態はパターン反復と共にＣＤＭアプローチを使用する。本例において４８個の入力系列、移動ＩＤ０から４７のＦ−ＣＡＣＫＣＨビットは、Ｉチャネルのための４８シンボル符号器８１０Ａから８１０ＮおよびＱチャネルのための４８シンボル符号器８２０Ａから８２０Ｎに送られる。各４８シンボル符号器は２個の２４シンボルアダマール系列を使用する。符号化された出力はそれぞれチャネル利得ブロック８３０Ａから８３０Ｎおよび８４０Ａから８４０Ｎにおいて利得調整される。加算器８５０はそれぞれの利得調整された符号化系列を結合してＩチャネルのＣＤＭ信号を生成する。加算器８６０はそれぞれの利得調整された符号化系列を結合してＱチャネルのＣＤＭ信号を生成する。（これまでの様に、信号を送信するためにＩチャネルおよびＱチャネルの両方を使用する必要はないことに注目されたい。別の実施形態は本発明の範囲内で他の変調スキームを使用してもよい。）ＩおよびＱのＣＤＭ信号は、ＣＤＭの様式で他の信号と結合され、かつ１つ以上の移動局に送信され得るＩおよびＱのＦ−ＣＡＣＫＣＨ出力を生成するために、複素カバリング系列（ｃｏｍｐｌｅｘ  ｃｏｖｅｒｉｎｇ  ｓｅｑｕｅｎｃｅ）Ｗｉ１２８を使用して乗算器８７０および８８０において再度カバーされる。従って、図８はＣＤＭオンＣＤＭ符号化アプローチのさらに別の実施形態を示している。
【０１１７】
図８の実施形態の一つの利点は、直交周期（ｏｒｔｈｏｇｏｎａｌ  ｐｅｒｉｏｄ）が５ｍｓから２．５ｍｓに短縮されることである。従って、そのＦ−ＣＡＣＫＣＨの他の考えられるユーザからのクロストーク干渉がより少ない。本例において、符号器８１０および８２０で使用される反復は同一のアダマール系列を反復するのではなく、第２の送信のための異なる系列が使用される。従って、例えば特定のユーザが第１の送信で別のユーザへの干渉を引き起こしている場合、同ユーザは第２の送信で同じ干渉を起こさない。このアプローチはピーククロストーク干渉を削減し、それを平均的な干渉に近付ける。しかしながら、図６の実施形態とは対照的に、ユーザの半数は本実施形態によってサポートされている。
【０１１８】
一実施形態において、符号器８１０および８２０に対して選択されるアダマール系列は以下のとおりである。符号器８１０および８２０の両方に対する第１の２４個のシンボルは、移動ＩＤ  ｍｏｄ  ２４で識別される長さ２４のアダマール系列である。符号器８１０に対する第２の２４個のシンボルは（移動ＩＤ＋５）ｍｏｄ  ２４で識別される長さ２４のアダマール系列である。符号器８２０に対する第２の２４個のシンボルは（移動ＩＤ＋７）ｍｏｄ  ２４で識別される長さ２４のアダマール系列である。これらは容易に計算できるが、これらの値に対して何ら特別の重要性はない。当業者はこれらの原理を他の種々の反復系列に容易に拡張するであろう。その結果は、特定のユーザが第１の送信で別のユーザに干渉を引き起こしている場合、同ユーザは第２の送信では同じ干渉を引き起こさないということになる。これはピーククロストーク干渉を削減し、干渉を平均的な干渉に近付ける。
【０１１９】
代替実施形態において、アダマール系列値は時変的に（ｔｉｍｅ−ｖａｒｙｉｎｇ  ｍａｎｎｅｒ）割り当てられる。上記の第１の実施形態において、上記のパターンを含む２つの反復によって、２つの送信（つまりフレーム）のピーククロストーク干渉は平均的な干渉よりもずっと高いことがある。このピーク干渉が生じるように２人のユーザが割り当てられる場合、それはフレームごとに生じ得る。時変的アプローチによれば、あるフレームでのクロストーク干渉が激しくても、アダマール系列は時変的に割り当てられるために、同ユーザは続くフレームにおいては同じ激しいクロストーク干渉を経験することはないであろう。
【０１２０】
種々の他の代替例もまた想定される。更なる直交性保護が望まれる場合、更なる反復が導入されてもよい。さらに、図８に関して説明されている反復技術は図７Ａおよび図７Ｂの実施形態に導入されているＴＤＭアプローチと結合されてもよい。当業者は本明細書に開示されている原理に従って多数の組み合わせを容易に構成するであろう。
【０１２１】
図３に関連して上述された無線通信デバイス１０６は、上記の種々のＣＤＭ送信信号を受信および復調するように動作可能である。復調器３２５は、上記の種々のＴＤＭおよびＣＤＭ信号のデカバリングおよび逆多重化を実行して、基地局１０４から送信されるシンボルの所望の系列を抽出するようになっていてもよい。上記の例の多くにおいて、これらのシンボルは、その特定の移動局１０６に対して指定されるＦ−ＣＡＣＫＣＨのそれぞれのビットであろう。
【０１２２】
上記の全実施形態において、方法のステップは本発明の範囲から逸脱することなく置き換えられてもよいことに注目すべきである。本明細書に開示されている説明は多くの場合、１ｘＥＶ−ＤＶ標準と関連した信号、パラメータおよび手順について言及してきたが、本発明の範囲はそういうものとして限定されない。当業者は本明細書の原理を種々の他の通信システムに容易に適用するであろう。これらおよび他の変更は当業者には明らかであろう。
【０１２３】
当業者は、情報および信号を様々な異なる技術や技法の任意のものを使用して表現され得ることを理解するであろう。例えば、上記の説明の全体に渡って言及されるであろうデータ、命令、コマンド、情報、信号、ビット、シンボルおよびチップは、電圧、電流、電磁波、磁界や磁性粒子、光学場または光学粒子、あるいはこれらの組み合わせによって表されてもよい。
【０１２４】
当業者は、本明細書に開示されている実施形態に関連して説明されている種々の例示的な論理ブロック、モジュール、回路およびアルゴリズムステップは電子ハードウェア、コンピュータソフトウェア、あるいは両者の組み合わせとして実現され得る点をさらに理解するであろう。ハードウェアおよびソフトウェアのこの互換性を明確に説明するために、種々の例示的なコンポーネント、ブロック、モジュール、回路およびステップが一般的にこれらの機能性に関して上述されている。このような機能性がハードウェアまたはソフトウェアのいずれで実現されるかは、システム全体に課される設計の制約および具体的な用途に依存する。熟練工は特定の用途ごとに様々な方法で上記の機能性を実施し得るが、このような実現上の決定は、本発明の範囲からの逸脱を招くものとして解釈されるべきではない。
【０１２５】
本明細書に開示されている実施形態に関連して説明されている種々の例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）や他のプログラマブル論理デバイス、ディスクリートゲートやトランジスタロジック、別個のハードウェアコンポーネント、あるいは本明細書に説明されている機能を実行するように設計されているこれらの組み合わせによって実現または実行可能である。汎用プロセッサはマイクロプロセッサであってもよいが、代替例においては、プロセッサは任意の従来のプロセッサ、コントローラ、マイクロコントローラ、あるいは状態機械であってもよい。プロセッサはまた、計算デバイスの組み合わせとして、例えばＤＳＰとマイクロプロセッサの組み合わせ、複数のマイクロプロセッサ、ＤＳＰコアと関連した１つ以上のマイクロプロセッサ、あるいは任意の他のこのような構成として実現されてもよい。
【０１２６】
本明細書に開示されている実施形態に関連して説明されている方法やアルゴリズムのステップは、ハードウェアにおいて、プロセッサによって実行されるソフトウェアモジュールにおいて、あるいはこの２つの組み合わせにおいて直接具現化され得る。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当技術分野において公知の任意の他の形態の記憶媒体に常駐してもよい。例示的記憶媒体は、プロセッサがこの記憶媒体から情報を読み取りかつ情報を書き込むことができるようにプロセッサに結合される。代替例において、記憶媒体はプロセッサと一体であってもよい。プロセッサおよび記憶媒体はＡＳＩＣに常駐し得る。ＡＳＩＣはユーザ端末に常駐してもよい。代替例において、プロセッサおよび記憶媒体は、ユーザ端末に別個のコンポーネントとして常駐し得る。
【０１２７】
開示されている実施形態の上記説明は、当業者が本発明を構成かつ使用することを可能にすべく提供されている。これらの実施形態に対する種々の変形は当業者には容易に明らかであり、本明細書に定義されている一般的な原理は、本発明の主旨および範囲を逸脱することなく他の実施形態に適用され得る。従って、本発明は本明細書に示されている実施形態に制限されることを意図されるものではなく、本明細書に開示されている原理および新規な特徴と合致する最大の範囲に一致すべきものである。
【図１】
2011010308.tif 000004
【図２】
2011010308.tif 000005
【図３】
2011010308.tif 000006
【図４】
2011010308.tif 000007
【図５】
2011010308.tif 000008
【図６】
2011010308.tif 000009
【図７Ａ】
2011010308.tif 000010
【図７Ｂ】
2011010308.tif 000011
【図８】
2011010308.tif 000012
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
複数の移動局のそれぞれ１つに対して複数のシンボルストリームを受信し、複数のカバーされたストリームを形成するためにシンボルストリームの各々をパターン反復を備える複数のカバリンク系列のうちの１つによって符号化する第１のアダマール符号器と、
第１の符号分割多重（ＣＤＭ）信号を形成するために、前記複数のカバーされたストリームの全てより少なく加算する加算器と、
第１のカバーされたＣＤＭ信号を形成するために、前記第１のＣＤＭ信号をＩ及びＱウォルシュカバリング系列によってカバーする第２の符号器と、を備える装置。
【請求項２】
複数の利得値を受信し、前記複数のカバーされたストリームに、前記加算器への送出前に、前記複数の利得値をそれぞれ乗算する１以上のチャネル利得ブロックをさらに備える、請求項１に記載の装置。
【請求項３】
前記第１のカバーされたＣＤＭ信号と１以上のさらなるカバーされた信号とを受信し、結合されたＣＤＭ信号を形成するために、前記第１のカバーされたＣＤＭ信号と前記１以上のさらなるカバーされた信号とを結合し、前記結合されたＣＤＭ信号を遠隔局に送信する送信機をさらに備える、請求項１に記載の装置。
【請求項４】
１つ以上の前記複数のシンボルストリームがコマンド値を備えており、前記コマンド値は肯定応答、否定応答、または肯定応答および継続を示している、請求項１に記載の装置。
【請求項５】
前記第１のアダマール符号器は符号化時間を２つ以上のセグメントに分割し、前記複数のシンボルストリームの各々を、パターン反復を備える２つ以上の系列でカバーし、各系列は前記２つ以上のセグメントそれぞれの間にカバーするためのものであり、セグメントの間に各シンボルストリームをカバーする前記系列は前記それぞれのシンボルストリームに対して一意である、請求項１に記載の装置。
【請求項６】
第１の系列が遠隔局識別子に対応するアダマール系列として選択され、第２の系列が、遠隔局識別子＋５  ｍｏｄｕｌｏ  前記複数のシンボルストリームの半数、として選択される、請求項５に記載の装置。
【請求項７】
第１の系列が遠隔局識別子に対応するアダマール系列として選択され、第２の系列が遠隔局識別子＋７  ｍｏｄｕｌｏ  前記複数のシンボルストリームの半数、として選択される、請求項５に記載の装置。
【請求項８】
複数のカバーされたストリームを形成するために複数の移動局のそれぞれ１つに対して複数のシンボルストリームの各々をパターン反復を備える複数のカバリンク系列のうちの１つによってアダマールカバーすることと、
第１のＣＤＭ信号を形成するために前記複数のカバーされたストリームの全てより少なく加算することと、
第１のカバーされたＣＤＭ信号を形成するために前記第１のＣＤＭ信号をＩ及びＱウォルシュカバリング系列でカバーすることと、を備える、複数のシンボルストリームを多重化する方法。
【請求項９】
前記複数のカバーされたストリームに、加算の前に、それぞれ複数の利得値を乗算することをさらに備える、請求項８に記載の方法。
【請求項１０】
前記第１のカバーされたＣＤＭ信号と１つ以上のさらなるカバーされた信号とを結合することと、
前記結合された信号を１つ以上の遠隔局に送信することと、をさらに備える、請求項８
に記載の方法。
【請求項１１】
１つ以上の前記複数のシンボルストリームはコマンド値を備えており、前記コマンド値は肯定応答、否定応答、または、肯定応答および継続を示している、請求項８に記載の方法。
【請求項１２】
前記複数のシンボルストリームの各々をカバーすることは、
前記符号化時間を２つ以上のセグメントに分割することと、
前記複数のシンボルストリームの各々を、パターン反復を備える２つ以上の系列であって、各系列は前記２つ以上のセグメントのそれぞれの間にカバーするためのものであり、１セグメントの間に各シンボルストリームをカバーする前記系列は前記それぞれのシンボルストリームに対して一意である、２つ以上の系列でアダマールカバーすること、を備える、請求項８に記載の方法。
【手続補正２】
【補正対象書類名】明細書
【補正対象項目名】０１２７
【補正方法】変更
【補正の内容】
【０１２７】
開示されている実施形態の上記説明は、当業者が本発明を構成かつ使用することを可能にすべく提供されている。これらの実施形態に対する種々の変形は当業者には容易に明らかであり、本明細書に定義されている一般的な原理は、本発明の主旨および範囲を逸脱することなく他の実施形態に適用され得る。従って、本発明は本明細書に示されている実施形態に制限されることを意図されるものではなく、本明細書に開示されている原理および新規な特徴と合致する最大の範囲に一致すべきものである。
以下に本願出願の当初の特許請求の範囲について記載された発明を付記する。
［１］
複数のシンボルストリームを受信し、複数のカバーされた系列を形成するために前記シンボルストリームの各々を複数のカバリング系列のうちの１つによって符号化する第１の符号器と、
第１の符号分割多重（ＣＤＭ）信号を形成するために、前記複数のカバーされた系列を加算する加算器と、
第１のカバーされたＣＤＭ信号を形成するために、前記第１のＣＤＭ信号をカバリング系列によってカバーする第２の符号器と、を備える装置。
［２］
複数の利得値を受信し、前記複数のカバーされた系列に、前記加算器への送出前に、前記複数の利得値をそれぞれ乗算する１以上のチャネル利得ブロックをさらに備える、［１］に記載の装置。
［３］
前記第１の符号器は１以上のアダマール符号器を備える、［１］に記載の装置。
［４］
前記第１のカバーされたＣＤＭ信号と１以上のさらなるカバーされた信号とを受信し、結合されたＣＤＭ信号を形成するために、前記第１のカバーされたＣＤＭ信号と前記１以上のさらなるカバーされた信号とを結合し、前記結合されたＣＤＭ信号を遠隔局に送信する送信機をさらに備える、［１］に記載の装置。
［５］
第２の複数のシンボルストリームを受信し、第２の複数のカバーされた系列を形成するために前記シンボルストリームの各々を前記複数のカバリング系列によって符号化する第３の符号器と、
第２の符号分割多重（ＣＤＭ）信号を形成するために前記第２の複数のカバーされた系列を加算する第２の加算器と、
第２のカバーされたＣＤＭ信号を形成するために前記第２のＣＤＭ信号をカバリング系列でカバーする第４の符号器と、
前記第１のカバーされたＣＤＭ信号を同相チャネルで、前記第２のカバーされたＣＤＭ信号を直交チャネルで送信する送信機と、をさらに備える、［１］に記載の装置。
［６］
１つ以上の前記複数のシンボルストリームがコマンド値を備えており、前記コマンド値は肯定応答、否定応答、または肯定応答および継続を示している、［１］に記載の装置。
［７］
前記符号器は符号化時間を２つ以上のセグメントに分割し、前記複数のシンボルストリームの各々を、２つ以上の系列でカバーし、各系列は前記２つ以上のセグメントそれぞれの間にカバーするためのものであり、セグメントの間に各シンボルストリームをカバーする前記系列は前記それぞれのシンボルストリームに対して一意である、［１］に記載の装置。
［８］
第１の系列が遠隔局識別子に対応するアダマール系列として選択され、第２の系列が、遠隔局識別子＋５  ｍｏｄｕｌｏ  前記複数のシンボルストリームの半数、として選択される、［７］に記載の装置。
［９］
第１の系列が遠隔局識別子に対応するアダマール系列として選択され、第２の系列が遠隔局識別子＋７  ｍｏｄｕｌｏ  前記複数のシンボルストリームの半数、として選択される、［７］に記載の装置。
［１０］
各系列が時変的に割り当てられる、［７］に記載の装置。
［１１］
複数のシンボルストリームを受信し、複数のカバーされたＣＤＭ信号を生成する複数のＣＤＭ符号器であって、各ＣＤＭ符号器は、
前記複数のシンボルストリームを受信し、複数のカバーされた系列を形成するために前記シンボルストリームの各々を複数のカバリング系列のうちの１つによって符号化する第１の符号器と、
ＣＤＭ信号を形成するために前記複数のカバーされた系列を加算する加算器と、
前記複数のカバーされたＣＤＭ信号を受信し、前記複数のカバーされたＣＤＭ信号を備える時分割多重（ＴＤＭ）信号を形成するタイムマルチプレクサと、
カバーされたＴＤＭ／ＣＤＭ信号を形成するために前記ＴＤＭ信号をカバリング系列でカバーする第２の符号器と、を備える複数のＣＤＭ符号器を備える、装置。
［１２］
各ＣＤＭ符号器はさらに、複数の利得値を受信し、前記複数のカバーされた系列に、前記加算器への送出前に、それぞれ前記複数の利得値を乗算する１つ以上のチャネル利得ブロックを備える、［１１］に記載の装置。
［１３］
前記カバーされたＴＤＭ／ＣＤＭ信号と１つ以上のさらなるカバーされた信号とを受信し、結合されたＣＤＭ信号を形成するために、前記カバーされたＴＤＭ／ＣＤＭ信号と１以上のさらなるカバーされた信号とを結合し、前記結合されたＣＤＭ信号を遠隔局に送信する送信機をさらに備える、［１１］に記載の装置。
［１４］
第１のカバリング系列でカバーされ、１つ以上のサブＣＤＭ信号を備えるＣＤＭ信号であって、前記１つ以上のサブＣＤＭ信号の各々は、それぞれ第２の複数のカバリング系列によってカバーされている複数のシンボル系列を備えるＣＤＭ信号で動作可能な装置において、
前記ＣＤＭ信号を受信する受信機と、
逆拡散ＣＤＭ信号を生成するために、前記受信されたＣＤＭ信号を前記第１のカバリング系列によって逆拡散する第１の逆拡散器と、
回復されたシンボル系列を生成するために、前記逆拡散されたＣＤＭ信号を前記第２のカバリング系列のうちの１つによって逆拡散する第２の逆拡散器と、を備える、装置。
［１５］
前記第２の逆拡散器は、１つ以上のさらなる回復されたシンボル系列を生成するために、前記逆拡散されたＣＤＭ信号を１つ以上のさらなる第２のカバリング系列でさらに逆拡散する、［１４］に記載の装置。
［１６］
第１のカバリング系列でカバーされ、１つ以上のＴＤＭ信号を備えるＣＤＭ信号であって、前記１つ以上のＴＤＭ信号の各々は１つ以上のサブＣＤＭ信号を備えており、前記１つ以上のサブＣＤＭ信号の各々は、それぞれ第２の複数のカバリング系列によってカバーされている複数のシンボル系列を備えるＣＤＭ信号で動作可能な装置であって、
前記ＣＤＭ信号を受信する受信機と、
逆拡散されたＣＤＭ信号を生成するために、前記受信されたＣＤＭ信号を前記第１のカバリング系列によって逆拡散する第１の逆拡散器と、
前記ＴＤＭ信号のうちの１つを前記逆拡散されたＣＤＭ信号から選択するデマルチプレクサと、
回復されたシンボル系列を生成するために、前記選択されたＴＤＭ信号を前記第２のカバリング系列のうちの１つによって逆拡散する第２の逆拡散器と、を備える、装置。
［１７］
複数のシンボルストリームを受信し、複数のカバーされた系列を形成するために前記シンボルストリームの各々を複数のカバリング系列のうちの１つによって符号化する第１の符号器と、
第１の符号分割多重（ＣＤＭ）信号を形成するために、前記複数のカバーされた系列を加算する加算器と、
第１のカバーされたＣＤＭ信号を形成するために、前記第１のＣＤＭ信号をカバリング系列でカバーする第２の符号器と、を備える、無線通信デバイス。
［１８］
複数のシンボルストリームを受信し、複数のカバーされたＣＤＭ信号を生成する複数のＣＤＭ符号器であって、各ＣＤＭ符号器は、
前記複数のシンボルストリームを受信し、複数のカバーされた系列を形成するために前記シンボルストリームの各々を複数のカバリング系列のうちの１つによって符号化する第１の符号器と、
ＣＤＭ信号を形成するために前記複数のカバーされた系列を加算する加算器と、
前記複数のカバーされたＣＤＭ信号を受信し、前記複数のカバーされたＣＤＭ信号を備える時分割多重（ＴＤＭ）信号を形成するタイムマルチプレクサと、
カバーされたＴＤＭ／ＣＤＭ信号を形成するために前記ＴＤＭ信号をカバリング系列によってカバーする第２の符号器と、を備える複数のＣＤＭ符号器を備える、無線通信デバイス。
［１９］
第１のカバリング系列でカバーされ、１つ以上のサブＣＤＭ信号を備えるＣＤＭ信号であって、前記１つ以上のサブＣＤＭ信号の各々は、それぞれ第２の複数のカバリング系列によってカバーされている複数のシンボル系列を備えるＣＤＭ信号で動作可能な装置において、
前記ＣＤＭ信号を受信する受信機と、
逆拡散されたＣＤＭ信号を生成するために、前記受信されたＣＤＭ信号を前記第１のカバリング系列によって逆拡散する第１の逆拡散器と、
回復されたシンボル系列を生成するために、前記逆拡散されたＣＤＭ信号を前記第２のカバリング系列のうちの１つによって逆拡散する第２の逆拡散器と、を備える、無線通信デバイス。
［２０］
第１のカバリング系列によってカバーされ、１つ以上のＴＤＭ信号を備えるＣＤＭ信号であって、前記１つ以上のＴＤＭ信号の各々は１つ以上のサブＣＤＭ信号を備えており、前記１つ以上のサブＣＤＭ信号の各々は、それぞれ第２の複数のカバリング系列によってカバーされている複数のシンボル系列を備えるＣＤＭ信号で動作可能な無線通信デバイスであって、
前記ＣＤＭ信号を受信する受信機と、
逆拡散されたＣＤＭ信号を生成するために前記受信されたＣＤＭ信号を前記第１のカバリング系列によって逆拡散する第１の逆拡散器と、
前記ＴＤＭ信号のうちの１つを前記逆拡散されたＣＤＭ信号から選択するデマルチプレクサと、
回復された記号系列を生成するために、前記選択されたＴＤＭ信号を前記第２のカバリング系列のうちの１つによって逆拡散する第２の逆拡散器と、を備える、無線通信デバイス。
［２１］
複数のシンボルストリームを受信し、複数のカバーされた系列を形成するために前記シンボルストリームの各々を複数のカバリング系列のうちの１つによって符号化する第１の符号器と、
第１の符号分割多重（ＣＤＭ）信号を形成するために、前記複数のカバーされた系列を加算する加算器と、
第１のカバーされたＣＤＭ信号を形成するために、前記第１のＣＤＭ信号をカバリング系列によってカバーする第２の符号器と、を備える第１の無線通信デバイスを含む、無線通信システム。
［２２］
前記第１のカバーされたＣＤＭ信号を受信する受信機と、
逆拡散されたＣＤＭ信号を生成するために、前記受信されたＣＤＭ信号を前記第１のカバリング系列によって逆拡散する第１の逆拡散器と、
回復されたシンボル系列を生成するために、前記逆拡散されたＣＤＭ信号を前記第２のカバリング系列のうちの１つによって逆拡散する第２の逆拡散器と、を備える第２の無線通信デバイスをさらに備える、［２１］に記載の無線通信システム。
［２３］
複数のシンボルストリームを受信し、複数のカバーされたＣＤＭ信号を生成する複数のＣＤＭ符号器であって、各ＣＤＭ符号器は、
前記複数のシンボルストリームを受信し、複数のカバーされた系列を形成するために前記シンボルストリームの各々を複数のカバリング系列のうちの１つによって符号化する第１の符号器と、
ＣＤＭ信号を形成するために前記複数のカバーされた系列を加算する加算器と、
前記複数のカバーされたＣＤＭ信号を受信し、前記複数のカバーされたＣＤＭ信号を備える時分割多重（ＴＤＭ）信号を形成するタイムマルチプレクサと、
カバーされたＴＤＭ／ＣＤＭ信号を形成するために前記ＴＤＭ信号をカバリング系列によってカバーする第２の符号器と、を備える複数のＣＤＭ符号器を備える無線通信デバイスを含む、無線通信システム。
［２４］
前記ＴＤＭ／ＣＤＭ信号を受信する受信機と、
逆拡散されたＣＤＭ信号を生成するために、前記受信されたＴＤＭ／ＣＤＭ信号を前記第１のカバリング系列によって逆拡散する第１の逆拡散器と、
前記ＴＤＭ信号のうちの１つを前記逆拡散されたＣＤＭ信号から選択するデマルチプレクサと、
回復されたシンボル系列を生成するために、前記選択されたＴＤＭ信号を前記第２のカバリング系列のうちの１つによって逆拡散する第２の逆拡散器と、を備える第２の無線通信デバイスをさらに備える、［２３］に記載の無線通信システム。
［２５］
複数のカバーされた系列を形成するために複数のシンボルストリームの各々を複数のカバリング系列のうちの１つによってカバーすることと、
第１のＣＤＭ信号を形成するために前記複数のカバーされた系列を加算することと、
第１のカバーされたＣＤＭ信号を形成するために前記第１のＣＤＭ信号をカバリング系列でカバーすることと、を備える、複数のシンボルストリームを多重化する方法。
［２６］
前記複数のカバーされた系列に、加算の前に、それぞれ複数の利得値を乗算することをさらに備える、［２５］に記載の方法。
［２７］
前記第１のカバーされたＣＤＭ信号と１つ以上のさらなるカバーされた信号とを結合することと、
前記結合された信号を１つ以上の遠隔局に送信することと、をさらに備える、［２５］に記載の方法。
［２８］
第２の複数のカバーされた系列を形成するために第２の複数のシンボルストリームの各々を前記複数のカバリング系列のうちの１つでカバーすることと、
第２のＣＤＭ信号を形成するために前記第２の複数のカバーされた系列を加算することと、
第２のカバーされたＣＤＭ信号を形成するために前記第２のＣＤＭ信号をカバリング系列でカバーすることと、
前記第１のカバーされたＣＤＭ信号を同相チャネルで送信することと、
前記第２のカバーされたＣＤＭ信号を直交チャネルで送信することと、をさらに備える、［２５］に記載の方法。
［２９］
１つ以上の前記複数のシンボルストリームはコマンド値を備えており、前記コマンド値は肯定応答、否定応答、または、肯定応答および継続を示している、［２５］に記載の方法。
［３０］
前記複数のシンボルストリームの各々をカバーすることは、
前記符号化時間を２つ以上のセグメントに分割することと、
前記複数のシンボルストリームの各々を、２つ以上の系列であって、各系列は前記２つ以上のセグメントのそれぞれの間にカバーするためのものであり、１セグメントの間に各シンボルストリームをカバーする前記系列は前記それぞれのシンボルストリームに対して一意である、２つ以上の系列でカバーすること、を備える、［２５］に記載の方法。
［３１］
前記２つ以上の系列はアダマール系列である、［３０］に記載の方法。
［３２］
前記２つ以上の系列は時変的に割り当てられている、［３０］に記載の方法。
［３３］
複数のカバーされた系列を形成するために、複数のシンボルストリームの各々を複数のカバリング系列のうちの１つでカバーすることと、
複数のＣＤＭ信号を形成するために前記複数のカバーされた系列のサブセットを加算することと、
ＴＤＭ信号を形成するために前記複数のＣＤＭ信号を時分割多重化することと、
カバーされたＴＤＭ／ＣＤＮ信号を形成するために、前記第１のＴＤＭ信号をカバリング系列でカバーすることと、を備える、複数のシンボルストリームを多重化する方法。
［３４］
前記第１のカバーされたＴＤＭ／ＣＤＭ信号と１つ以上のさらなるカバーされた信号とを結合することと、
前記結合された信号を１つ以上の遠隔局に送信することと、をさらに備える、［３３］に記載の方法。
［３５］
ＣＤＭ信号を受信することと、
前記受信されたＣＤＭ信号を第１のカバリング系列によって逆拡散することと、
復号されたシンボル系列を生成するために、前記逆拡散された受信されたＣＤＭ信号を第２のカバリング系列によって逆拡散することと、を備える、シンボル系列を復号する方法。
［３６］
ＣＤＭ信号を受信することと、
前記受信されたＣＤＭ信号を第１のカバリング系列によって逆拡散することと、
ＴＤＭ信号を選択するために、前記逆拡散された受信されたＣＤＭ信号を時分割逆多重化することと、
復号されたシンボル系列を生成するために、前記選択されたＴＤＭ信号を第２のカバリング系列によって逆拡散することと、を備える、記号系列復号方法。
［３７］
複数のカバーされた系列を形成するために、複数のシンボルストリームの各々を複数のカバリング系列のうちの１つによってカバーする手段と、
第１のＣＤＭ信号を形成するために前記複数のカバーされた系列を加算する手段と、
第１のカバーされたＣＤＭ信号を形成するために前記第１のＣＤＭ信号をカバリング系列でカバーする手段と、を備える、装置。
［３８］
複数のカバーされた系列を形成するために複数のシンボルストリームの各々を複数のカバー系列のうちの１つでカバーする手段と、
複数のＣＤＭ信号を形成するために前記複数のカバーされた系列のサブセットを加算する手段と、
ＴＤＭ信号を形成するために前記複数のＣＤＭ信号を時分割多重化する手段と、
カバーされたＴＤＭ／ＣＤＭ信号を形成するために前記第１のＴＤＭ信号をカバリング系列でカバーする手段と、を備える、装置。
［３９］
ＣＤＭ信号を受信する手段と、
前記受信されたＣＤＭ信号を第１のカバリング系列によって逆拡散する手段と、
復号されたシンボル系列を生成するために、前記逆拡散された受信されたＣＤＭ信号を第２のカバリング系列によって逆拡散する手段と、を備える、装置。
［４０］
ＣＤＭ信号を受信する手段と、
前記受信されたＣＤＭ信号を第１のカバリング系列によって逆拡散する手段と、
ＴＤＭ信号を選択するために、前記逆拡散された受信されたＣＤＭ信号を時分割逆多重化する手段と、
復号されたシンボル系列を生成するために、前記選択されたＴＤＭ信号を第２のカバリング系列によって逆拡散する手段と、を備える、装置。
［４１］
複数のカバーされた系列を形成するために、複数のシンボルストリームの各々を複数のカバリング系列のうちの１つによってカバーし、
第１のＣＤＭ信号を形成するために、前記複数のカバーされた系列を加算し、
第１のカバーされたＣＤＭ信号を形成するために、前記第１のＣＤＭ信号をカバリング系列でカバーするステップと、
を実行するように動作可能な、プロセッサ読み取り可能な媒体。
［４２］
複数のカバーされた系列を形成するために、複数のシンボルストリームの各々を複数のカバリング系列のうちの１つでカバーし、
複数のＣＤＭ信号を形成するために、前記複数のカバーされた系列のサブセットを加算し、
ＴＤＭ信号を形成するために前記複数のＣＤＭ信号を時分割多重化し、
カバーされたＴＤＭ／ＣＤＭ信号を形成するために前記第１のＴＤＭ信号をカバリング系列でカバーする、
ステップを実行するように動作可能な、プロセッサ読み取り可能な媒体。
［４３］
ＣＤＭ信号を受信し、
前記受信されたＣＤＭ信号を第１のカバリング系列によって逆拡散し、
復号されたシンボル系列を生成するために、前記逆拡散された受信されたＣＤＭ信号を第２のカバリング系列によって逆拡散する、
ステップを実行するように動作可能な、プロセッサ読み取り可能な媒体。
［４４］
ＣＤＭ信号を受信し、
前記受信されたＣＤＭ信号を第１のカバリング系列によって逆拡散し、
ＴＤＭ信号を選択するために、前記逆拡散された受信されたＣＤＭ信号を時分割逆多重化し、
復号されたシンボル系列を生成するために、前記選択されたＴＤＭ信号を第２のカバリング系列によって逆拡散する、
ステップを実行するように動作可能な、プロセッサ読み取り可能な媒体。
【外国語明細書】
2011010308000001.pdf